(57)【要約】無線システムにおけるアップリンク（ＵＬ）送信のためのシステム、方法、および手段が開示される。システム、方法、および手段は、通常のＵＬ（ＲＵＬ）キャリアと補足的なＵＬ（ＳＵＬ）に関連付けられた割り当てを含み得る１つ以上のアップリンク（ＵＬ）許可を受信するように構成された受信機を備える無線送受信ユニット（ＷＴＲＵ）を含み得る。ＲＵＬおよびＳＵＬキャリアは、サービングセルの共通ダウンリンク（ＤＬ）キャリアに関連付けられ得る。ＷＴＲＵは、割り当てに従った送信のために１つ以上の論理チャネルからデータを選択するように構成されたプロセッサを含み得る。ＷＴＲＵは、割り当てに従って、ＲＵＬキャリア上の１つの論理チャネルからデータを送信し、ＳＵＬキャリア上の別の論理チャネルからデータを送信するように構成された送信機を含み得る。
2021510018.tif 000002
【特許請求の範囲】
【請求項１】
無線送受信ユニット（ＷＴＲＵ）であって、
１つまたは複数のアップリンク（ＵＬ）許可を受信するように構成された受信機であって、前記１つまたは複数のＵＬ許可は、通常のＵＬ（ＲＵＬ）キャリアに関連付けられた第１の割振りおよび補足的なＵＬ（ＳＵＬ）キャリアに関連付けられた第２の割振りを含み、前記ＲＵＬキャリアおよび前記ＳＵＬキャリアは、サービングセルの共通のダウンリンク（ＤＬ）キャリアに関連付けられている、受信機と、
前記第１の割振りに従った送信のために少なくとも第１の論理チャネルから第１のデータを選択するように、および前記第２の割振りに従った送信のために少なくとも第２の論理チャネルから第２のデータを選択するように構成されたプロセッサであって、前記第１の論理チャネルは、前記ＲＵＬキャリアに関連付けられている前記第１の割振りに少なくとも基づいて選択され、前記第２の論理チャネルは、前記ＳＵＬキャリアに関連付けられている前記第２の割振りに少なくとも基づいて選択される、プロセッサと、
前記第１の割振りに従って前記ＲＵＬキャリア上で前記第１の論理チャネルからの前記第１のデータを送信するように、および前記第２の割振りに従って前記ＳＵＬキャリア上で前記第２の論理チャネルからの前記第２のデータを送信するように構成された送信機と、
を備えた、ＷＴＲＵ。
【請求項２】
前記ＲＵＬキャリア上での前記第１のデータの送信と前記ＳＵＬキャリア上での前記第２のデータの送信とは、少なくとも部分的に時間的に重複する、請求項１に記載のＷＴＲＵ。
【請求項３】
前記送信機は、第１の時間間隔の間に前記ＲＵＬキャリア上で前記第１のデータを送信するように、および第２の時間間隔の間に前記ＳＵＬキャリア上で前記第２のデータを送信するように構成されている、請求項１に記載のＷＴＲＵ。
【請求項４】
少なくとも前記第１の論理チャネルからの前記第１のデータは、前記ＲＵＬキャリア上で送信されるように制限され、および少なくとも前記第２の論理チャネルからの前記第２のデータは、前記ＳＵＬキャリア上で送信されるように制限される、請求項１に記載のＷＴＲＵ。
【請求項５】
前記プロセッサは、前記第２の割振りに従って、前記ＲＵＬキャリアおよび前記ＳＵＬキャリアの双方での送信のために、少なくとも前記第２の論理チャネルから前記第２のデータを選択するように構成されている、請求項１に記載のＷＴＲＵ。
【請求項６】
前記１つまたは複数のＵＬ許可は、前記ＲＵＬキャリアおよび前記ＳＵＬキャリアに関連付けられた第３の割振りを含み、
前記プロセッサは、サービングセルの品質が閾値を上回る場合に前記ＲＵＬキャリア上での送信のために、および前記サービングセルの前記品質が前記閾値を下回っている場合に前記ＳＵＬキャリア上での送信のために、少なくとも第３の論理チャネルから第３のデータを選択するように構成されている、請求項１に記載のＷＴＲＵ。
【請求項７】
前記１つまたは複数のＵＬ許可は、前記ＲＵＬキャリアおよび前記ＳＵＬキャリアに関連する第３の割振りを含み、
前記プロセッサは、少なくとも第３の論理チャネルからの第３のデータの送信のために、
前記第３のデータのタイミング要件、
前記第３のデータの送信タイプ、
前記第３のデータのサブキャリア間隔（ＳＣＳ）要件、
前記第３のデータの無線サービスタイプ、
送信に利用できるデータの合計サイズ、
前記１つまたは複数のＵＬ許可における明示的な表示、
前記第３のデータの送信の冗長バージョン（ＲＶ）、
前記ＷＴＲＵの移動性もしくは速度、または
前記第３のデータのサービス品質（ＱｏＳ）要件
の１つまたは複数に基づいて、前記ＲＵＬキャリアまたは前記ＳＵＬキャリアを選択するように構成されている、請求項１に記載のＷＴＲＵ。
【請求項８】
前記ＲＵＬキャリアの第１の周波数は、前記ＳＵＬキャリアの第２の周波数よりも高い、請求項１に記載のＷＴＲＵ。
【請求項９】
前記ＳＵＬキャリアの第１のカバレッジエリアは、前記ＲＵＬキャリアの第２のカバレッジエリアよりも大きい、請求項１に記載のＷＴＲＵ。
【請求項１０】
前記受信機は、前記サービングセルの前記共通のＤＬキャリアを介して前記１つまたは複数のＵＬ許可を受け取るようにさらに構成されている、請求項１に記載のＷＴＲＵ。
【請求項１１】
無線送受信ユニット（ＷＴＲＵ）によって実行される方法であって、
通常のアップリンク（ＵＬ）（ＲＵＬ）キャリアに関連付けられた第１の割振りおよび補足的なＵＬ（ＳＵＬ）キャリアに関連付けられた第２の割振りを含む１つまたは複数のＵＬ許可を受信することであって、前記ＲＵＬキャリアおよび前記ＳＵＬキャリアは、サービングセルの共通のダウンリンク（ＤＬ）キャリアに関連付けられている、ことと、
前記第１の割振りに従った送信のために少なくとも第１の論理チャネルから第１のデータを選択することであって、前記第１の論理チャネルは、前記ＲＵＬキャリアに関連付けられている前記第１の割振りに少なくとも基づいて選択される、ことと、
前記第２の割振りに従った送信のために少なくとも第２の論理チャネルから第２のデータを選択することであって、前記第２の論理チャネルは、前記ＳＵＬキャリアに関連付けられている前記第２の割振りに少なくとも基づいて選択される、ことと、
前記第１の割振りに従って前記ＲＵＬキャリア上で前記第１の論理チャネルからの前記第１のデータを送信することと、
前記第２の割振りに従って前記ＳＵＬキャリア上で前記第２の論理チャネルからの前記第２のデータを送信することと、
を含む、方法。
【請求項１２】
第１の時間間隔中に前記ＲＵＬキャリア上で前記第１のデータを送信することと、第２の時間間隔中に前記ＳＵＬキャリア上で前記第２のデータを送信することと、をさらに含む、請求項１１に記載の方法。
【請求項１３】
少なくとも前記第１の論理チャネルからの前記第１のデータは、前記ＲＵＬキャリア上で送信されるように制限され、および少なくとも前記第２の論理チャネルからの前記第２のデータは、前記ＳＵＬキャリア上で送信されるように制限される、請求項１１に記載の方法。
【請求項１４】
前記第２の割振りに従って、前記ＲＵＬキャリアおよび前記ＳＵＬキャリアの双方での送信のために、少なくとも前記第２の論理チャネルから前記第２のデータを選択することをさらに含む、請求項１１に記載の方法。
【請求項１５】
前記１つまたは複数のＵＬ許可は、前記ＲＵＬキャリアおよび前記ＳＵＬキャリアに関連付けられた第３の割振りを含み、
前記方法は、サービングセルの品質が閾値を上回る場合に前記ＲＵＬキャリア上での送信のために、および前記サービングセルの前記品質が前記閾値を下回っている場合に前記ＳＵＬキャリア上での送信のために、少なくとも第３の論理チャネルから第３のデータを選択することをさらに含む、請求項１１に記載の方法。
【発明の詳細な説明】
【技術分野】
【０００１】
本開示は、無線システムにおける補助的なアップリンク送信に関する。
【背景技術】
【０００２】
関連出願の相互参照
本出願は、２０１７年１１月１４日に出願された「Ｓｕｐｐｌｅｍｅｎｔａｒｙ  Ｕｐｌｉｎｋ  Ｔｒａｎｓｍｉｓｓｉｏｎｓ  ｉｎ  Ｗｉｒｅｌｅｓｓ  Ｓｙｓｔｅｍｓ」と題する米国特許仮出願第６２／５８６，０９５号の利益を主張し、２０１８年１月９日に出願された「Ｓｕｐｐｌｅｍｅｎｔａｒｙ  Ｕｐｌｉｎｋ  Ｔｒａｎｓｍｉｓｓｉｏｎｓ  ｉｎ  Ｗｉｒｅｌｅｓｓ  Ｓｙｓｔｅｍｓ」と題する米国特許仮出願第６２／６１５，４０４号の利益を主張するものであり、その両仮出願の内容全体が、参照により本明細書に組み込まれる。
【０００３】
無線通信システムにおけるモバイルデバイスは、所与のセルにおけるアップリンク（ＵＬ）キャリアを用いて動作するように構成され得る。ＵＬキャリアは、同じセルにおけるダウンリンク（ＤＬ）キャリアに関連付けられ得る。モバイルデバイスが複数のＵＬキャリアで構成され得る範囲においては、それぞれは、異なるセルからの異なるＤＬキャリアに関連付けられ得る。すなわち、モバイルデバイスにおいて構成されるＵＬキャリアとＤＬキャリアとの間には、１対１の対応関係が存在し得る。所与のＤＬキャリアに対して利用可能なＵＬキャリアの数を増やすことは、モバイルデバイスのＵＬ送信の信頼性など、無線性能を高めることになり得る。例えば、利用可能なＵＬキャリアの１つが別のものよりも高い周波数で動作する場合、モバイルデバイスは、低い周波数のＵＬキャリアを選択することにより、その送信範囲を拡大することができる。しかし、このようなさらなるＵＬキャリアを追加することは、ＵＬ送信に対してデータを処理するとき、さらなるＵＬキャリアを管理するようにモバイルデバイスを構成することを含む、新しい技術的な課題を提示する。
【発明の概要】
【０００４】
無線システムにおけるアップリンク（ＵＬ）送信のためのシステム、方法、および手段が開示される。システム、方法、および手段は、１つまたは複数のＵＬ許可を受信するように構成された受信機を備える無線送受信ユニット（ＷＴＲＵ）を含むことができる。１つまたは複数のＵＬ許可は、サービングセルの共通のダウンリンク（ＤＬ）キャリアを介して受信され得る。アップリンク許可は、通常のＵＬ（ＲＵＬ）キャリアに関連付けられた割振りと、補助的なＵＬ（ＳＵＬ）キャリアに関連付けられた割振りとを含むことができる。ＲＵＬおよびＳＵＬキャリアは、サービングセルの共通のＤＬキャリアに関連付けられ得る。ＲＵＬキャリアの周波数は、ＳＵＬキャリアの周波数よりも大きいことがある。ＳＵＬキャリアのカバレッジエリアは、ＲＵＬキャリアのカバレッジエリアよりも大きいことがある。
【０００５】
ＷＴＲＵは、１つまたは複数のＵＬ許可における割振りに従って送信するために、１つまたは複数の論理チャネルからデータを選択するように構成されたプロセッサを含むことができる。例えば、１つの論理チャネルは、少なくともＲＵＬキャリアに関連付けられた割振りに基づいて選択され、別の論理チャネルは、少なくともＳＵＬキャリアに関連付けられた別の割振りに基づいて選択され得る。ＷＴＲＵは、それぞれの割振りに従って、ＲＵＬキャリア上のその１つの論理チャネルからデータを送信し、ＳＵＬキャリア上のその別の論理チャネルからデータを送信するように構成された送信機を含むことができる。ＲＵＬキャリア上のデータ送信、およびＳＵＬキャリア上のデータ送信は、時間的に少なくとも部分的に重複する、かつ／または異なる時間間隔で行うことができる。
【０００６】
少なくとも１つの論理チャネルからのデータは、ＲＵＬキャリア上で送信されるように制限され、また少なくとも別の論理チャネルからのデータは、ＳＵＬキャリア上で送信されるように制限され得る。別の割振りによれば、少なくともその別の論理チャネルからのデータは、ＲＵＬキャリアおよびＳＵＬキャリアの両方において送信するように選択され得る。さらに別の割振りによれば、少なくともその別の論理チャネルからのデータは、サービングセルの品質が閾値を超えている場合、ＲＵＬキャリア上で、またサービングセルの品質が閾値未満である場合、ＳＵＬキャリア上で送信するように選択され得る。別の割振りによれば、プロセッサは、データのタイミング要件、データの送信タイプ、データのサブキャリア間隔（ＳＣＳ）要件、データの無線サービスタイプ、送信に利用できるデータの合計サイズ、１つまたは複数のＵＬ許可における明示的な表示、データ送信の冗長バージョン（ＲＶ）、ＷＴＲＵの移動性もしくは速度、データのサービス品質（ＱｏＳ）要件のうちの１つまたは複数のものに基づいて、１つまたは複数の論理チャネルからデータを送信するために、ＲＵＬキャリアまたはＳＵＬキャリアのいずれかを選択するように構成され得る。
【図面の簡単な説明】
【０００７】
図における同様の参照数字は、同様の要素を示す。
【０００８】
【図１Ａ】１つまたは複数の開示される実施形態が実施され得る例示的な通信システムを示すシステム図である。
【図１Ｂ】実施形態に従って図１Ａで示された通信システム内で使用され得る例示的な無線送受信ユニット（ＷＴＲＵ）を示すシステム図である。
【図１Ｃ】実施形態に従って図１Ａで示された通信システム内で使用され得る例示的な無線アクセスネットワーク（ＲＡＮ）、および例示的なコアネットワーク（ＣＮ）を示すシステム図である。
【図１Ｄ】実施形態に従って図１Ａで示された通信システム内で使用され得るさらなる例示的なＲＡＮ、およびさらなる例示的なＣＮを示すシステム図である。
【図２】ダウンリンク（ＤＬ）キャリア、およびさらに２つの対応するアップリンク（ＵＬ）キャリアに対するカバレッジエリアを備えた例示的な無線セルを示すシステム図である。
【図３】１つまたは複数の論理チャネル（ＬＣＨ）からのデータに優先順位を付けるための、かつ／またはこのようなＬＣＨを、セルに関連付けられた１つまたは複数のＵＬキャリアに割り当てるための例示的な論理チャネル優先順位付け（ＬＣＰ）手順を示す図である。
【図４】図３のＬＣＰ手順に従って、１つまたは複数のＬＣＨからのデータが、複数のＵＬキャリアを介して順次送信され得る送信時間間隔（ＴＴＩ）の例示的なシリーズを示す図である。
【図５】図３のＬＣＰ手順に従って、１つまたは複数のＬＣＨからのデータが、複数のＵＬキャリアを介して同時に送信され得るＴＴＩの例示的なシリーズを示す図である。
【発明を実施するための形態】
【０００９】
次に、様々な図を参照して例示的な実施形態の詳細な説明が述べられる。本開示は、可能な実装形態の詳細な例を提供するが、その細部は、例示的なものであり、本出願の範囲を決して限定するように意図されていないことに留意されたい。
【００１０】
図１Ａは、１つまたは複数の開示される実施形態が実施され得る例示的な通信システム１００を示す図である。通信システム１００は、複数の無線ユーザに、音声、データ、ビデオ、メッセージング、同報通信などのコンテンツを提供する複数のアクセスシステムとすることができる。通信システム１００は、複数の無線ユーザに、無線帯域幅を含むシステムリソースを共用することにより、このようなコンテンツにアクセスできるようにする。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロック−フィルタ処理されたＯＦＤＭ（ｒｅｓｏｕｒｃｅ  ｂｌｏｃｋ−ｆｉｌｔｅｒｅｄ  ＯＦＤＭ）、フィルタバンクマルチキャリア（ＦＢＭＣ）、および同様のものなど、１つまたは複数のチャネルアクセス法を使用することができる。
【００１１】
図１Ａで示されるように、通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄのそれぞれは、無線環境で動作し、かつ／または通信するように構成された任意のタイプのデバイスとすることができる。例として、ＷＴＲＵ１０２ａ、１０２ｂ、１０２ｃ、１０２ｄは、そのいずれも「ステーション」および／または「ＳＴＡ」と呼ばれ得るが、無線信号を送信かつ／または受信するように構成され、またユーザ機器（ＵＥ）、移動局、固定または移動加入者ユニット、サブスクリプションベースのユニット、ページャ、セルラ式電話、携帯情報端末（ＰＤＡ）、スマートフォン、ラップトップ、ネットブック、パーソナルコンピュータ、無線センサ、ホットスポットもしくはＭｉ−Ｆｉデバイス、モノのインターネット（ＩｏＴ）デバイス、時計もしくは他の装着可能なもの、頭部搭載型ディスプレイ（ＨＭＤ）、乗物、ドローン、医用デバイスおよび応用（例えば、遠隔手術）、産業用デバイスおよび応用（例えば、産業および／または自動化処理チェーン状況で動作するロボットおよび／または他の無線デバイス）、家庭用電子デバイス、商用および／または産業用無線ネットワークで動作するデバイスなどを含むことができる。ＷＴＲＵ１０２ａ、１０２ｂ、１０２ｃ、および１０２ｄのいずれも、相互に交換可能にＵＥと呼ぶことができる。
【００１２】
通信システム１００はまた、基地局１１４ａおよび／または基地局１１４ｂを含むことができる。基地局１１４ａ、１１４ｂのそれぞれは、ＣＮ１０６／１１５、インターネット１１０、および／または他のネットワーク１１２などの１つまたは複数の通信ネットワークへのアクセスを容易するために、ＷＴＲＵ１０２ａ、１０２ｂ、１０２ｃ、１０２ｄの少なくとも１つと無線でインターフェースをとるように構成された任意のタイプのデバイスとすることができる。例として、基地局１１４ａ、１１４ｂは、送受信機基地局（ＢＴＳ）、ノードＢ、ｅＮｏｄｅＢ、ホームノードＢ、ホームｅＮｏｄｅＢ、ｇＮＢ、ＮＲノードＢ、サイトコントローラ、アクセスポイント（ＡＰ）、無線ルータ、および同様のものとすることができる。基地局１１４ａ、１１４ｂが、それぞれ、単一の要素として示されているが、基地局１１４ａ、１１４ｂは、任意の数の相互接続された基地局および／またはネットワーク要素を含み得ることが理解されよう。
【００１３】
基地局１１４ａは、ＲＡＮ１０４／１１３の一部とすることができ、それはまた、基地局制御装置（ＢＳＣ）、無線ネットワーク制御装置（ＲＮＣ）、中継ノードなどの他の基地局および／またはネットワーク要素（図示せず）を含むことができる。基地局１１４ａおよび／または基地局１１４ｂは、セル（図示せず）と呼ばれ得る１つまたは複数のキャリア周波数で無線信号を送信および／または受信するように構成され得る。これらの周波数は、認可スペクトル、無認可スペクトル、または認可スペクトルと無認可スペクトルとの組合せとすることができる。セルは、時間経過に対して比較的固定され得る、または変化し得る特定の地理学的エリアに対して無線サービスを行うためのカバレッジを提供することができる。セルは、セルセクタへとさらに分割され得る。例えば、基地局１１４ａに関連付けられたセルは、３つのセクタに分割され得る。したがって、一実施形態では、基地局１１４ａは、３つの送受信機、すなわち、セルの各セクタに対して１つを含むことができる。実施形態では、基地局１１４ａは、多入力多出力（ＭＩＭＯ）技術を使用することができ、またセルの各セクタに対して複数の送受信機を利用することができる。例えば、望ましい空間方向において、信号を送信および／または受信するために、ビーム形成を使用することができる。
【００１４】
基地局１１４ａ、１１４ｂは、無線インターフェース１１６を介して、ＷＴＲＵ１０２ａ、１０２ｂ、１０２ｃ、１０２ｄの１つまたは複数のものと通信することができ、それは、任意の適切な無線通信リンクとすることができる（例えば、無線周波数（ＲＦ）、マイクロ波、センチメートル波、マイクロメートル波、赤外線（ＩＲ）、紫外線（ＵＶ）、可視光など）。無線インターフェース１１６は、任意の適切な無線アクセス技術（ＲＡＴ）を用いて確立され得る。
【００１５】
より具体的には、上記のように、通信システム１００は、複数のアクセスシステムとすることができ、またＣＤＭＡ、ＴＤＭＡ、ＦＤＭＡ、ＯＦＤＭＡ、ＳＣ−ＦＤＭＡ、および同様のものなど、１つまたは複数のチャネルアクセス方式を使用することができる。例えば、ＲＡＮ１０４／１１３における基地局１１４ａ、およびＷＴＲＵ１０２ａ、１０２ｂ、１０２ｃは、広帯域ＣＤＭＡ（ＷＣＤＭＡ）を用いて無線インターフェース１１５／１１６／１１７を確立できるユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１６】
実施形態では、基地局１１４ａおよびＷＴＲＵ１０２ａ、１０２ｂ、１０２ｃは、進化型ＵＭＴＳ地上無線アクセス（Ｅ−ＵＴＲＡ）などの無線技術を実施することができ、それは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を用いて、無線インターフェース１１６を確立することができる。
【００１７】
実施形態では、基地局１１４ａおよびＷＴＲＵ１０２ａ、１０２ｂ、１０２ｃは、新無線（ＮＲ）を用いる無線インターフェース１１６を確立できるＮＲ無線アクセスなどの無線技術を実施することができる。
【００１８】
実施形態では、基地局１１４ａおよびＷＴＲＵ１０２ａ、１０２ｂ、１０２ｃは、複数の無線アクセス技術を実施することができる。例えば、基地局１１４ａおよびＷＴＲＵ１０２ａ、１０２ｂ、１０２ｃは、例えば、デュアル接続（ＤＣ）原理を用いて、ＬＴＥ無線アクセス、およびＮＲ無線アクセスを共に実施することができる。したがって、ＷＴＲＵ１０２ａ、１０２ｂ、１０２ｃにより利用される無線インターフェースは、複数タイプの無線アクセス技術により、かつ／または複数タイプの基地局（例えば、ｅＮＢおよびｇＮＢ）に／から送られる送信により特徴付けられ得る。
【００１９】
他の実施形態では、基地局１１４ａおよびＷＴＲＵ１０２ａ、１０２ｂ、１０２ｃは、ＩＥＥＥ８０２．１１（すなわち、ＷｉＦｉ（Ｗｉｒｅｌｅｓｓ  Ｆｉｄｅｌｉｔｙ）、ＩＥＥＥ８０２．１６（すなわち、ワールドワイドインターオペラビリティフォーマイクロウェーブアクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、グローバルシステムフォーモバイル通信（ＧＳＭ）、ＧＳＭエボリューション拡張データレート（ＥＤＧＥ）、ＧＳＭ  ＥＤＧＥ（ＧＥＲＡＮ）、および同様のものなどの無線技術を実施することができる。
【００２０】
図１Ａの基地局１１４ｂは、例えば、無線ルータ、ホームノードＢ、ホームｅＮｏｄｅＢ、またはアクセスポイントとすることができ、また職場、家庭、乗物、キャンパス、産業施設、空中回廊（例えば、ドローンで使用される）、車道、および同様の場所など、局所化されたエリアにおける無線接続を容易にするために任意の適切なＲＡＴを利用することができる。一実施形態では、基地局１１４ｂおよびＷＴＲＵ１０２ｃ、１０２ｄは、無線ローカルエリアネットワーク（ＷＬＡＮ）を確立するために、ＩＥＥＥ８０２．１１などの無線技術を実施することができる。実施形態では、基地局１１４ｂおよびＷＴＲＵ１０２ｃ、１０２ｄは、無線パーソナルエリアネットワーク（ＷＰＡＮ）を確立するために、ＩＥＥＥ８０２．１５などの無線技術を実施することができる。さらに別の実施形態では、基地局１１４ｂおよびＷＴＲＵ１０２ｃ、１０２ｄは、ピコセルまたはフェムトセルを確立するために、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用することができる。図１Ａで示されるように、基地局１１４ｂは、インターネット１１０への直接接続を有することができる。したがって、基地局１１４ｂは、ＣＮ１０６／１１５を介してインターネット１１０にアクセスする必要のないこともあり得る。
【００２１】
ＲＡＮ１０４／１１３は、ＣＮ１０６／１１５と通信することができ、それは、ＷＴＲＵ１０２ａ、１０２ｂ、１０２ｃ、１０２ｄの１つまたは複数のものに対して、音声、データ、アプリケーション、および／またはボイスオーバインターネットプロトコル（ＶｏＩＰ）サービスを提供するように構成された任意のタイプのネットワークとすることができる。データは、異なるスループット要件、遅延要件、誤り許容要件、信頼性要件、データスループット要件、移動性要件、および同様のものなど、様々なサービス品質（ＱｏＳ）要件を有することがあり得る。ＣＮ１０６／１１５は、呼制御、課金サービス、モバイル位置ベースサービス、プリペイドコーリング、インターネット接続、ビデオ配信などを提供し、かつ／またはユーザ認証などの高水準のセキュリティ機能を実施することができる。図１Ａで示されていないが、ＲＡＮ１０４／１１３および／またはＣＮ１０６／１１５は、ＲＡＮ１０４／１１３と同じＲＡＴ、または異なるＲＡＴを使用する他のＲＡＴと直接または間接的に通信できることが理解されよう。例えば、ＮＲ無線技術を利用することのできるＲＡＮ１０４／１１３に接続されるのに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する別のＲＡＮ（図示せず）と通信することもできる。
【００２２】
ＣＮ１０６／１１５はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして働くことができる。ＰＳＴＮ１０８は、基本電話サービス（ＰＯＴＳ）を提供する回線交換電話網を含むことができる。インターネット１１０は、ＴＣＰ／ＩＰインターネットプロトコル群における伝送制御プロトコル（ＴＣＰ）、ユーザデータグラムプロトコル（ＵＤＰ）、および／またはインターネットプロトコル（ＩＰ）などの共通の通信プロトコルを使用する相互接続されたコンピュータネットワークおよびデバイスのグローバルシステムを含むことができる。ネットワーク１１２は、他のサービスプロバイダにより所有され、かつ／または運営される有線および／または無線通信ネットワークを含むことができる。例えば、ネットワーク１１２は、ＲＡＮ１０４／１１３と同じＲＡＴ、または異なるＲＡＴを使用できる１つまたは複数のＲＡＮに接続された別のＣＮを含むことができる。
【００２３】
通信システム１００におけるＷＴＲＵ１０２ａ、１０２ｂ、１０２ｃ、１０２ｄのいくつか、またはすべては、マルチモード機能を含むことができる（例えば、ＷＴＲＵ１０２ａ、１０２ｂ、１０２ｃ、１０２ｄは、様々な無線リンクを介して、様々な無線ネットワークと通信するための複数の送受信機を含むことができる）。例えば、図１Ａで示されるＷＴＲＵ１０２ｃは、セルラベースの無線技術を使用できる基地局１１４ａと、ＩＥＥＥ８０２無線技術を使用できる基地局１１４ｂと通信するように構成され得る。
【００２４】
図１Ｂは、例示的なＷＴＲＵ１０２を示すシステム図である。図１Ｂで示されるように、ＷＴＲＵ１０２は、いくつかある中で特に、プロセッサ１１８、送受信機１２０、送信／受信素子１２２、スピーカ／マイクロフォン１２４、キーパッド１２６、ディスプレイ／タッチパッド１２８、取外し不能メモリ１３０、取外し可能メモリ１３２、電源１３４、全地球測位システム（ＧＰＳ）チップセット１３６、および／または他の周辺装置１３８を含むことができる。ＷＴＲＵ１０２は、前述の要素の任意の下位の組合せを含むことができるが、なお実施形態との一貫性を有していることが理解されよう。
【００２５】
プロセッサ１１８は、汎用プロセッサ、専用プロセッサ、従来のプロセッサ、デジタル信号プロセッサ（ＤＳＰ）、複数のマイクロプロセッサ、ＤＣＰコアと関連付けられた１つまたは複数のマイクロプロセッサ、コントローラ、マイクロコントローラ、特定用途向け集積回路（ＡＳＩＣ）、書替え可能ゲートアレイ（ＦＰＧＡ）回路、任意の他のタイプの集積回路（ＩＣ）、状態機械、および同様のものとすることができる。プロセッサ１１８は、信号符号化、データ処理、電力制御、入力／出力処理、および／またはＷＴＲＵ１０２を無線環境で動作できるようにする任意の他の機能を実施することができる。プロセッサ１１８は、送受信機１２０に結合され得るが、送受信機１２０は、送信／受信素子１２２に結合され得る。図１Ｂは、プロセッサ１１８と送受信機１２０とを別々の構成要素として示しているが、プロセッサ１１８および送受信機１２０は、電子パッケージまたはチップにおいて共に一体化され得ることが理解されよう。
【００２６】
送信／受信素子１２２は、無線インターフェース１１６を介して、基地局（例えば、基地局１１４ａ）に信号を送信する、またはそこから信号を受信するように構成され得る。例えば、一実施形態では、送信／受信素子１２２は、ＲＦ信号を送信および／または受信するように構成されたアンテナとすることができる。実施形態では、送信／受信素子１２２は、例えば、ＩＲ、ＵＶ、または可視光信号を送信および／または受信するように構成された発光体／検出器とすることができる。さらに別の実施形態では、送信／受信素子１２２は、ＲＦおよび光信号の両方に送信および／または受信するように構成され得る。送信／受信素子１２２は、無線信号の任意の組合せを送信および／または受信するように構成され得ることが理解されよう。
【００２７】
送信／受信素子１２２が、図１Ｂで単一の要素として示されているが、ＷＴＲＵ１０２は、任意の数の送信／受信素子１２２を含むことができる。より具体的には、ＷＴＲＵ１０２は、ＭＩＭＯ技術を使用することができる。したがって、一実施形態では、ＷＴＲＵ１０２は、無線インターフェース１１６を介して、無線信号を送信および受信するために、２つ以上の送信／受信素子１２２（例えば、複数のアンテナ）を含むことができる。
【００２８】
送受信機１２０は、送信／受信素子１２２により送信される信号を変調し、かつ送信／受信素子１２２により受信される信号を復調するように構成され得る。前述のように、ＷＴＲＵ１０２は、マルチモード機能を有することができる。したがって、送受信機１２０は、ＷＴＲＵ１０２が、例えば、ＮＲおよびＩＥＥＥ８０２．１１などの複数のＲＡＴにより通信できるようにするための複数の送受信機を含むことができる。
【００２９】
ＷＴＲＵ１０２のプロセッサ１１８は、スピーカ／マイクロフォン１２４、キーパッド１２６、および／またはディスプレイ／タッチパッド１２８（例えば、液晶画面（ＬＣＤ）ディスプレイユニット、または有機発光ダイオード（ＯＬＥＤ）ディスプレイユニット）に結合され得るが、またそこからユーザ入力データを受信することができる。プロセッサ１１８はまた、ユーザデータを、スピーカ／マイクロフォン１２４、キーパッド１２６、および／またはディスプレイ／タッチパッド１２８に出力することができる。加えて、プロセッサ１１８は、取外し不能メモリ１３０、および／または取外し可能メモリ１３２など、任意のタイプの適切なメモリからの情報にアクセスし、かつデータをそこに記憶することができる。取外し不能メモリ１３０は、ランダムアクセスメモリ（ＲＡＭ）、読出し専用メモリ（ＲＯＭ）、ハードディスク、または任意の他のタイプのメモリ記憶デバイスを含むことができる。取外し可能メモリ１３２は、加入者識別モジュール（ＳＩＭ）カード、メモリスティック、セキュアデジタル（ＳＤ）メモリカード、および同様のものを含むことができる。他の実施形態では、プロセッサ１１８は、サーバまたは家庭用コンピュータ（図示せず）上など、ＷＴＲＵ１０２上に物理的に位置していないメモリからの情報にアクセスし、かつそこにデータを記憶することができる。
【００３０】
プロセッサ１１８は、電源１３４から電力を受け取ることができ、またＷＴＲＵ１０２における他の構成要素に電力を配布し、かつ／または制御するように構成され得る。電源１３４は、ＷＴＲＵ１０２に電力を供給するための任意の適切なデバイスとすることができる。例えば、電源１３４は、１つまたは複数の乾電池（例えば、ニッケルカドミウム（ＮｉＣｄ）、ニッケル亜鉛（ＮｉＺｎ）ニッケル水素（ＮｉＭＨ）、リチウムイオン（Ｌｉ−ｉｏｎ）など）、太陽電池、燃料電池、および同様のものを含むことができる。
【００３１】
プロセッサ１１８はまた、ＷＴＲＵ１０２の現在位置に関する位置情報（例えば、経度および緯度）を提供するように構成され得るＧＰＳチップセット１３６に結合することができる。ＧＰＳチップセット１３６からの情報に加えて、またはそれに代えて、ＷＴＲＵ１０２は、基地局（例えば、基地局１１４ａ、１１４ｂ）から無線インターフェース１１６を介して位置情報を受け取り、かつ／または２つ以上の近傍の基地局から受信される信号のタイミングに基づいて、その位置を決定することができる。ＷＴＲＵ１０２は、実施形態との一貫性を有しながら、任意の適切な位置決定法により位置情報を取得できることが理解されよう。
【００３２】
プロセッサ１１８は、さらなる特徴、機能性、および／または有線もしくは無線接続性を提供する１つまたは複数のソフトウェアおよび／またはハードウェアモジュールを含むことのできる他の周辺装置１３８にさらに結合され得る。例えば、周辺装置１３８は、加速度計、電子コンパス、衛星送受信機、デジタルカメラ（写真および／またはビデオ用）、ユニバーサルシリアルバス（ＵＳＢ）ポート、振動デバイス、テレビジョン送受信機、手を使用しないヘッドセット、Ｂｌｕｅｔｏｏｔｈ（登録商標）モジュール、周波数変調（ＦＭ）無線ユニット、デジタルミュージックプレーヤ、メディアプレーヤ、ビデオゲームプレーヤモジュール、インターネットブラウザ、仮想現実および／または拡張現実感（ＶＲ／ＡＲ）デバイス、活動量計、および同様のものを含むことができる。周辺装置１３８は、１つまたは複数のセンサを含むことができ、センサは、ジャイロスコープ、加速度計、ホール効果センサ、磁力計、方向センサ、近接センサ、温度センサ、時間センサ、ジオロケーションセンサ、高度計、光センサ、タッチセンサ、磁力計、気圧計、ジェスチャセンサ、生物測定センサ、および／または湿度センサのうちの１つまたは複数のものとすることができる。
【００３３】
ＷＴＲＵ１０２は、全二重無線を含むことができ、その場合、（例えば、アップリンク（ＵＬ）（例えば、送信用）およびダウンリンク（ＤＬ）（例えば、受信用）の両方に対する特定のサブフレームに関連付けられた）信号のいくつか、またはすべての送信および受信は、共存できる、かつ／または同時に行うことができる。全二重無線は、干渉管理ユニット１３９を含み、ハードウェア（例えば、チョーク）、またはプロセッサによる（例えば、別個のプロセッサ（図示せず）もしくはプロセッサ１１８による）信号処理のいずれかによる自己干渉を低減する、および／または実質的になくすことができる。実施形態では、ＷＴＲＵ１０２は、半二重無線を含むことができ、その場合、（例えば、ＵＬ（例えば、送信用）またはダウンリンク（例えば、受信用）のいずれかに対する特定のサブフレームに関連付けられた）信号のいくつか、またはすべての送信および受信。
【００３４】
図１Ｃは、実施形態によるＲＡＮ１０４およびＣＮ１０６を示すシステム図である。上記のように、ＲＡＮ１０４は、無線インターフェース１１６を介してＷＴＲＵ１０２ａ、１０２ｂ、１０２ｃと通信するために、Ｅ−ＵＴＲＡ無線技術を使用することができる。ＲＡＮ１０４はまた、ＣＮ１０６と通信することができる。
【００３５】
ＲＡＮ１０４は、ｅＮｏｄｅＢ１６０ａ、１６０ｂ、１６０ｃを含むことができるが、ＲＡＮ１０４は、実施形態との一貫性を維持しながら、任意の数のｅＮｏｄｅＢを含み得ることを理解されたい。ｅＮｏｄｅＢ１６０ａ、１６０ｂ、１６０ｃはそれぞれ、無線インターフェース１１６を介して、ＷＴＲＵ１０２ａ、１０２ｂ、１０２ｃと通信するための１つまたは複数の送受信機を含むことができる。一実施形態では、ｅＮｏｄｅＢ１６０ａ、１６０ｂ、１６０ｃは、ＭＩＭＯ技術を実施することができる。したがって、ｅＮｏｄｅＢ１６０ａは、例えば、複数のアンテナを使用して、無線信号をＷＴＲＵ１０２ａに送信し、かつ／または無線信号をそこから受信することができる。
【００３６】
ｅＮｏｄｅＢ１６０ａ、１６０ｂ、１６０ｃのそれぞれは、特定のセル（図示せず）と関連付けることができ、また無線リソース管理決定、ハンドオーバ決定、ＵＬおよび／またはＤＬにおけるユーザのスケジューリングなどを処理するように構成され得る。図１Ｃで示されるように、ｅＮｏｄｅＢ１６０ａ、１６０ｂ、１６０ｃは、Ｘ２インターフェースを介して互いに通信することができる。
【００３７】
図１Ｃで示されるＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含むことができる。前述の要素のそれぞれは、ＣＮ１０６の一部として示されているが、これらの要素のいずれも、ＣＮ運営者以外のエンティティにより所有され、かつ／または運営され得ることが理解されよう。
【００３８】
ＭＭＥ１６２は、Ｓ１インターフェースを介して、ＲＡＮ１０４におけるｅＮｏｄｅＢ１６２ａ、１６２ｂ、１６２ｃのそれぞれに接続され、制御ノードとして働くことができる。例えば、ＭＭＥ１６２は、ＷＴＲＵ１０２ａ、１０２ｂ、１０２ｃのユーザを認証すること、ベアラ活動化／非活動化、ＷＴＲＵ１０２ａ、１０２ｂ、１０２ｃの初期アタッチ中に特定のサービングゲートウェイを選択すること、および同様のものを扱うことができる。ＭＭＥ１６２は、ＲＡＮ１０４と、ＧＳＭおよび／またはＷＣＤＭＡなどの他の無線技術を使用する他のＲＡＮ（図示せず）との間を切り換えるための制御プレーン機能を提供することができる。
【００３９】
ＳＧＷ１６４は、Ｓ１インターフェースを介してＲＡＮ１０４におけるｅＮｏｄｅＢ１６０ａ、１６０ｂ、１６０ｃのそれぞれに接続され得る。ＳＧＷ１６４は、概して、ＷＴＲＵ１０２ａ、１０２ｂ、１０２ｃに／からユーザデータパケットを経路指定し、かつ転送することができる。ＳＧＷ１６４は、ｅＮｏｄｅＢ間のハンドオーバ中にユーザプレーンをアンカリングすること、ＤＬデータがＷＴＲＵ１０２ａ、１０２ｂ、１０２ｃに利用可能であるときにページングをトリガすること、ＷＴＲＵ１０２ａ、１０２ｂ、１０２ｃの状況を管理し、記憶すること、および同様のものなどの他の機能を実施することができる。
【００４０】
ＳＧＷ１６４は、ＰＧＷ１６６に接続することができ、ＰＧＷ１６６は、ＷＴＲＵ１０２ａ、１０２ｂ、１０２ｃとＩＰ対応デバイスとの間の通信を容易にするために、インターネット１１０などのパケット交換網へのアクセスをＷＴＲＵ１０２ａ、１０２ｂ、１０２ｃに提供することができる。
【００４１】
ＣＮ１０６は、他のネットワークとの通信を容易にすることができる。例えば、ＣＮ１０６は、ＷＴＲＵ１０２ａ、１０２ｂ、１０２ｃと、従来の陸線通信デバイスとの間の通信を容易にするために、ＰＳＴＮ１０８など、回路交換網へのアクセスをＷＴＲＵ１０２ａ、１０２ｂ、１０２ｃに提供することができる。例えば、ＣＮ１０６は、ＣＮ１０６とＰＳＴＮ１０８との間のインターフェースとして働くＩＰゲートウェイ（例えば、ＩＰマルチメディアサブシステム（ＩＭＳ）サーバ）を含むことができる、またはそれと通信することができる。加えて、ＣＮ１０６は、他のサービスプロバイダにより所有され、かつ／または運営される他の有線および／または無線ネットワークを含むことのできる他のネットワーク１１２へのアクセスをＷＴＲＵ１０２ａ、１０２ｂ、１０２ｃに提供することができる。
【００４２】
ＷＴＲＵが、無線端末として図１Ａ〜図１Ｄで述べられているが、いくつかの代表的な実施形態では、このような端末は、通信ネットワークとの有線通信インターフェースを（例えば、一時的に、または恒久的に）使用できることが企図される。
【００４３】
代表的な実施形態では、他のネットワーク１１２は、ＷＬＡＮとすることができる。
【００４４】
インフラストラクチャ基本サービスセット（ＢＳＳ）モードにおけるＷＬＡＮは、ＢＳＳに対するアクセスポイント（ＡＰ）と、ＡＰに関連付けられた１つまたは複数のステーション（ＳＴＡ）とを有することができる。ＡＰは、配信システム（ＤＳ）に対して、またはトラフィックをＢＳＳにかつ／もしくはＢＳＳから搬送する別タイプの有線／無線ネットワークに対して、アクセスできる、またはインターフェースを有することができる。ＢＳＳの外側から生じたＳＴＡへのトラフィックは、ＡＰを通して到来することができ、またＳＴＡに送達され得る。ＢＳＳの外側の宛先へのＳＴＡから生じたトラフィックは、ＡＰに送られて、各宛先へ送達され得る。ＢＳＳ内のＳＴＡ間のトラフィックは、例えば、ＡＰを通して送られることができ、その場合、ソースＳＴＡは、トラフィックをＡＰに送ることができ、またＡＰは、トラフィックを宛先ＳＴＡに送達することができる。ＢＳＳ内のＳＴＡ間のトラフィックは、ピアツーピアトラフィックであると見なされる、かつ／またはそのように呼ぶことができる。ピアツーピアトラフィックは、ダイレクトリンク設定（ＤＬＳ）を用いてソースと宛先ＳＴＡとの間で（例えば、その間で直接）送られることができる。いくつかの代表的な実施形態では、ＤＬＳは、８０２．１１ｅ  ＤＬＳ、または８０２．１１ｚトンネルＤＬＳ（ＴＤＬＳ）を用いることができる。独立ＢＳＳ（ＩＢＳＳ）モードを用いるＷＬＡＮは、ＡＰを有しないこともあり、またＩＢＳＳ内の、またはＩＢＳＳを用いるＳＴＡ（例えば、ＳＴＡのすべて）は、互いに直接通信することができる。通信のＩＢＳＳモードは、本明細書で、通信の「アドホック」モードと呼ぶこともある。
【００４５】
８０２．１１ａｃインフラストラクチャ動作モード、または同様の動作モードを使用するとき、ＡＰは、プライマリチャネルなどの固定チャネルでビーコンを送信することができる。プライマリチャネルは、固定幅（例えば、２０ＭＨｚの広さの帯域幅）、またはシグナリングを介して動的に設定される幅とすることができる。プライマリチャネルは、ＢＳＳの動作チャネルとすることができ、またＡＰとの接続を確立するためにＳＴＡによって使用され得る。いくつかの代表的な実施形態では、例えば、８０２．１１システムにおいて、衝突回避を備えたキャリア感知多重アクセス（ＣＳＭＡ／ＣＡ）が実施され得る。ＣＳＭＡ／ＣＡの場合、ＡＰを含むＳＴＡ（例えば、あらゆるＳＴＡ）は、プライマリチャネルを感知することができる。特定のＳＴＡにより、プライマリチャネルが、ビジーであると感知／検出される、かつ／または決定された場合、特定のＳＴＡは、後退することになり得る。１つのＳＴＡ（例えば、１つのステーションだけ）が、所与のＢＳＳにおける任意の所与の時間に送信することができる。
【００４６】
高スループット（ＨＴ）ＳＴＡは、通信のために４０ＭＨｚ幅チャネルを使用することができるが、それは、例えば、プライマリ２０ＭＨｚチャネルを、隣接または非隣接の２０ＭＨｚチャネルと組み合わせることにより、４０ＭＨｚ幅チャネルを形成する。
【００４７】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚ、および／または８０ＭＨｚチャネルは、隣接する２０ＭＨｚチャネルを組み合わせることにより形成され得る。１６０ＭＨｚチャネルは、８個の隣接する２０ＭＨｚチャネルを組み合わせることにより、または２つの非隣接の８０ＭＨｚチャネルを組み合わせることにより形成することができるが、それは、８０＋８０構成と呼ぶことができる。８０＋８０構成の場合、チャネル符号化の後、データは、２つのストリームへとデータを分割できるセグメントパーサを通すことができる。逆高速フーリエ変換（ＩＦＦＴ）処理、および時間領域処理を、各ストリームに対して別々に行われることができる。ストリームは、２つの８０ＭＨｚチャネルにマップすることができ、またデータは、送信ＳＴＡにより送信され得る。受信ＳＴＡの受信機において、８０＋８０構成に対する上記で述べた動作は、逆にすることができ、また組み合わされたデータは、メディアアクセス制御（ＭＡＣ）に送られることができる。
【００４８】
サブ１ＧＨｚ動作モードは、８０２．１１ａｆおよび８０２．１１ａｈによりサポートされる。チャネル動作帯域幅、およびキャリアは、８０２．１１ｎおよび８０２．１１ａｃで使用されるものに対して、８０２．１１ａｆおよび８０２．１１ａｈにおいて低減される。８０２．１１ａｆは、ＴＶホワイトスペース（ＴＶＷＳ）スペクトルにおける５ＭＨｚ、１０ＭＨｚ、および２０ＭＨｚ帯域幅をサポートし、また８０２．１１ａｈは、非ＴＶＷＳスペクトルを用いて１ＭＨｚ、２ＭＨｚ、４ＭＨｚ、８ＭＨｚ、および１６ＭＨｚ帯域幅をサポートする。代表的な実施形態によれば、８０２．１１ａｈは、マクロカバレッジエリアにおけるＭＴＣデバイスなど、メータタイプ制御／マシンタイプ通信をサポートすることができる。ＭＴＣデバイスは、例えば、いくつかの、かつ／または限られた帯域幅に対するサポート（例えば、それに対するサポートだけ）を含む限定された機能など、いくつかの機能を有することができる。ＭＴＣデバイスは、（例えば、非常に長い電池寿命を維持するために）閾値を超える電池寿命を有する電池を含むことができる。
【００４９】
８０２．１１ｎ、８０２．１１ａｃ、８０２．１１ａｆ、および８０２．１１ａｈなど、複数のチャネル、およびチャネル帯域幅をサポートできるＷＬＡＮシステムは、プライマリチャネルと指定され得るチャネルを含む。プライマリチャネルは、ＢＳＳにおけるすべてのＳＴＡによりサポートされる最大の共通動作帯域幅に等しい帯域幅を有することができる。プライマリチャネルの帯域幅は、ＢＳＳにおいて動作するすべてのＳＴＡの中から、最小の帯域幅動作モードをサポートするＳＴＡにより設定され、かつ／または制限され得る。８０２．１１ａｈの例では、プライマリチャネルは、ＡＰ、およびＢＳＳにおける他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、サポートするだけ）ＳＴＡ（例えば、ＭＴＣタイプデバイス）に対する１ＭＨｚ幅とすることができる。キャリア感知および／またはネットワーク割振りベクトル（ＮＡＶ）設定は、プライマリチャネルの状態に依存することがある。例えば、ＳＴＡ（１ＭＨｚ動作モードだけをサポートする）がＡＰに送信することに起因して、プライマリチャネルがビジーである場合、利用可能な周波数帯域全体は、周波数帯域の大部分がアイドル状態のままであり、かつ利用可能であるとしても、ビジーであると見なされ得る。
【００５０】
米国では、８０２．１１ａｈにより使用され得る利用可能な周波数帯域は、９０２ＭＨｚから９２８ＭＨｚである。韓国では、利用可能な周波数帯域は、９１７．５ＭＨｚから９２３．５ＭＨｚである。日本では、利用可能な周波数帯域は、９１６．５ＭＨｚから９２７．５ＭＨｚである。８０２．１１ａｈに利用可能な全体の帯域幅は、国の法規に応じて６ＭＨｚから２６ＭＨｚである。
【００５１】
図１Ｄは、実施形態によるＲＡＮ１１３およびＣＮ１１５を示すシステム図である。上記のように、ＲＡＮ１１３は、ＮＲ無線技術を使用して、無線インターフェース１１６を介してＷＴＲＵ１０２ａ、１０２ｂ、１０２ｃと通信することができる。ＲＡＮ１１３はまた、ＣＮ１１５と通信することができる。
【００５２】
ＲＡＮ１１３は、ｇＮＢ１８０ａ、１８０ｂ、１８０ｃを含むことができるが、実施形態との一貫性を有しながら、ＲＡＮ１１３は、任意の数のｇＮＢを含み得ることが理解されよう。ｇＮＢ１８０ａ、１８０ｂ、１８０ｃは、それぞれ、無線インターフェース１１６を介して、ＷＴＲＵ１０２ａ、１０２ｂ、１０２ｃと通信するための１つまたは複数の送受信機を含むことができる。一実施形態では、ｇＮＢ１８０ａ、１８０ｂ、１８０ｃは、ＭＩＭＯ技術を実施することができる。例えば、ｇＮＢ１８０ａ、１０８ｂは、ビーム形成を利用して、ｇＮＢ１８０ａ、１８０ｂ、１８０ｃに信号を送信し、かつ／または信号をそこから受信することができる。したがって、例えば、ｇＮＢ１８０ａは、複数のアンテナを使用して、ＷＴＲＵ１０２ａに無線信号を送信し、かつ／またはそこから無線信号を受信することができる。実施形態では、ｇＮＢ１８０ａ、１８０ｂ、１８０ｃは、キャリア集約技術を実施することができる。例えば、ｇＮＢ１８０ａは、ＷＴＲＵ１０２ａに複数のコンポーネントキャリアを送信することができる（図示せず）。これらのコンポーネントキャリアのサブセットは、無認可スペクトル上のものとすることができるが、残りのコンポーネントキャリアは、認可スペクトル上のものとすることができる。実施形態では、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａおよびｇＮＢ１８０ｂ（および／またはｇＮＢ１８０ｃ）からの協調された送信を受信することができる。
【００５３】
ＷＴＲＵ１０２ａ、１０２ｂ、１０２ｃは、スケーラブルなニューメロロジに関連付けられた送信を用いて、ｇＮＢ１８０ａ、１８０ｂ、１８０ｃと通信することができる。例えば、ＯＦＤＭシンボル間隔、および／またはＯＦＤＭサブキャリア間隔は、無線送信スペクトルの異なる送信、異なるセル、および／または異なる部分に対して変化することができる。ＷＴＲＵ１０２ａ、１０２ｂ、１０２ｃは、様々な、もしくはスケーラブルな長さのサブフレーム、または送信時間間隔（ＴＴＩ）（例えば、様々な数のＯＦＤＭシンボルを含む、および／または様々な長さの絶対時間が続く）を用いて、ｇＮＢ１８０ａ、１８０ｂ、１８０ｃと通信することができる。
【００５４】
ｇＮＢ１８０ａ、１８０ｂ、１８０ｃは、スタンドアロン構成で、かつ／または非スタンドアロン構成で、ＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅＮｏｄｅＢ１６０ａ、１６０ｂ、１６０ｃなど）にさらにアクセスすることなく、ｇＮＢ１８０ａ、１８０ｂ、１８０ｃと通信することができる。スタンドアロン構成では、ＷＴＲＵ１０２ａ、１０２ｂ、１０２ｃは、モビリティアンカーポイントとして、ｇＮＢ１８０ａ、１８０ｂ、１８０ｃのうちの１つまたは複数のものを利用することができる。スタンドアロン構成では、ＷＴＲＵ１０２ａ、１０２ｂ、１０２ｃは、無認可帯域における信号を用いてｇＮＢ１８０ａ、１８０ｂ、１８０ｃと通信することができる。非スタンドアロン構成では、ＷＴＲＵ１０２ａ、１０２ｂ、１０２ｃは、ｅＮｏｄｅＢ１６０ａ、１６０ｂ、１６０ｃなどの別のＲＡＮとも通信／接続しながら、ｇＮＢ１８０ａ、１８０ｂ、１８０ｃと通信／接続することができる。例えば、ＷＴＲＵ１０２ａ、１０２ｂ、１０２ｃは、ＤＣ原理を実施して、実質的に同時に、１つまたは複数のｇＮＢ１８０ａ、１８０ｂ、１８０ｃ、および１つまたは複数のｅＮｏｄｅＢ１６０ａ、１６０ｂ、１６０ｃと通信することができる。非スタンドアロン構成では、ｅＮｏｄｅＢ１６０ａ、１６０ｂ、１６０ｃは、ＷＴＲＵ１０２ａ、１０２ｂ、１０２ｃに対するモビリティアンカーとして働くことができ、またｇＮＢ１８０ａ、１８０ｂ、１８０ｃは、ＷＴＲＵ１０２ａ、１０２ｂ、１０２ｃをサービスするためにさらなるカバレッジおよび／またはスループットを提供することができる。
【００５５】
ｇＮＢ１８０ａ、１８０ｂ、１８０ｃのそれぞれは、特定のセル（図示せず）に関連付けることができ、また無線リソース管理決定、ハンドオーバ決定、ＵＬおよび／またはＤＬにおけるユーザのスケジューリング、ネットワークスライシングのサポート、デュアル接続、ＮＲとＥ−ＵＴＲＡとの間の相互作用、ユーザプレーン機能（ＵＰＦ）１８４ａ、１８４ｂに向けたユーザプレーンデータの経路指定、アクセスおよびモビリティ管理機能（ＡＭＦ）１８２ａ、１８２ｂに向けた制御プレーン情報の経路指定、および同様のものを処理するように構成され得る。図１Ｄで示されるように、ｇＮＢ１８０ａ、１８０ｂ、１８０ｃは、Ｘｎインターフェースを介して互いに通信することができる。
【００５６】
図１Ｄで示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、およびおそらくデータネットワーク（ＤＮ）１８５ａ、１８５ｂを含むことができる。前述の要素のそれぞれは、ＣＮ１１５の一部として示されているが、これらの要素のいずれも、ＣＮ運営者以外のエンティティにより所有され、かつ／または運営され得ることが理解されよう。
【００５７】
ＡＭＦ１８２ａ、１８２ｂは、Ｎ２インターフェースを介して、ＲＡＮ１１３におけるｇＮＢ１８０ａ、１８０ｂ、１８０ｃのうちの１つまたは複数のものに接続され、かつ制御ノードとして働くことができる。例えば、ＡＭＦ１８２ａ、１８２ｂは、ＷＴＲＵ１０２ａ、１０２ｂ、１０２ｃのユーザを認証すること、ネットワークスライシングをサポートすること（例えば、様々な要件を有する様々なプロトコルデータユニット（ＰＤＵ）セッションを処理すること）、特定のＳＭＦ１８３ａ、１８３ｂを選択すること、登録エリアの管理、ＮＡＳシグナリングの終了、モビリティ管理、および同様のものを扱うことができる。ネットワークスライシングは、ＷＴＲＵ１０２ａ、１０２ｂ、１０２ｃで利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、様々なネットワークスライスが、超高信頼低遅延（ＵＲＬＬＣ）アクセスを利用するサービス、拡張大容量モバイルブロードバンド（ｅＭＢＢ）アクセスを利用するサービス、マシンタイプ通信（ＭＴＣ）アクセスに対するサービス、および／または同様のものなど、様々な使用例に対して確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術など他の無線技術を使用する他のＲＡＮ（図示せず）との間を切り換えるための制御プレーン機能を提供することができる。
【００５８】
ＳＭＦ１８３ａ、１８３ｂは、Ｎ１１インターフェースを介して、ＣＮ１１５におけるＡＭＦ１８２ａ、１８２ｂに接続され得る。ＳＭＦ１８３ａ、１８３ｂはまた、Ｎ４インターフェースを介して、ＣＮ１１５におけるＵＰＦ１８４ａ、１８４ｂに接続され得る。ＳＭＦ１８３ａ、１８３ｂは、ＵＰＦ１８４ａ、１８４ｂを選択し、制御することができ、またＵＰＦ１８４ａ、１８４ｂを通るトラフィックの経路指定を構成することができる。ＳＭＦ１８３ａ、１８３ｂは、ＵＥのＩＰアドレスを管理し、割り振ること、ＰＤＵセッションを管理すること、ポリシ施行およびＱｏＳを制御すること、ダウンリンクデータ通知を提供すること、および同様のものなど、他の機能を実施することができる。ＰＤＵセッションタイプは、ＩＰベース、非ＩＰベース、イーサネットベース、および同様のものとすることができる。
【００５９】
ＵＰＦ１８４ａ、１８４ｂは、Ｎ３インターフェースを介してＲＡＮ１１３におけるｇＮＢ１８０ａ、１８０ｂ、１８０ｃのうちの１つまたは複数のものに接続され得るが、それは、ＷＴＲＵ１０２ａ、１０２ｂ、１０２ｃに、インターネット１１０などのパケット交換網へのアクセスを提供して、ＷＴＲＵ１０２ａ、１０２ｂ、１０２ｃとＩＰ対応デバイスとの間の通信を容易にすることができる。ＵＰＦ１８４、１８４ｂは、パケットを経路指定し、かつ転送すること、ユーザプレーンポリシを施行すること、マルチホームＰＤＵセッションをサポートすること、ユーザプレーンＱｏＳを処理すること、ダウンリンクパケットをバッファすること、モビリティアンカリングを提供すること、および同様のものなど、他の機能を実施することができる。
【００６０】
ＣＮ１１５は、他のネットワークとの通信を容易にすることができる。例えば、ＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含む、またはそれと通信することができる。さらに、ＣＮ１１５は、他のサービスプロバイダにより所有され、かつ／または運営される他の有線および／または無線ネットワークを含むことのできる他のネットワーク１１２へのアクセスを、ＷＴＲＵ１０２ａ、１０２ｂ、１０２ｃに提供することができる。一実施形態では、ＷＴＲＵ１０２ａ、１０２ｂ、１０２ｃは、ＵＰＦ１８４ａ、１８４ｂへのＮ３インターフェースにより、またＵＰＦ１８４ａ、１８４ｂとＤＮ１８５ａ、１８５ｂとの間のＮ６インターフェースにより、ＵＰＦ１８４ａ、１８４ｂを介してローカルデータネットワーク（ＤＮ）１８５ａ、１８５ｂに接続され得る。
【００６１】
図１Ａ〜図１Ｄの図、および図１Ａ〜図１Ｄの対応する記述において、ＷＴＲＵ１０２ａ〜ｄ、基地局１１４ａ〜ｂ、ｅＮｏｄｅＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ａｂ、ＵＰＦ１８４ａ〜ｂ、ＳＭＦ１８３ａ〜ｂ、ＤＮ１８５ａ〜ｂ、および／または本明細書で述べられる任意の他のデバイスのうちの１つまたは複数のものに関して本明細書で述べられる機能のうちの１つまたは複数のもの、またはすべては、１つまたは複数のエミュレーションデバイス（図示せず）によって実施され得る。エミュレーションデバイスは、本明細書で述べられる機能のうちの１つまたは複数のもの、またはすべてをエミュレートするように構成された１つまたは複数のデバイスとすることができる。例えば、エミュレーションデバイスは、他のデバイスを試験するために、ならびに／またはネットワークおよび／またはＷＴＲＵ機能をシミュレートするために使用され得る。
【００６２】
エミュレーションデバイスは、実験室環境で、かつ／または運営者ネットワーク環境で他のデバイスの１つまたは複数の試験を実施するように設計され得る。例えば、１つまたは複数のエミュレーションデバイスは、１つまたは複数の、またはすべての機能を実施できるが、通信ネットワーク内の他のデバイスを試験するために、有線および／または無線通信ネットワークの一部として、完全に、または部分的に実施される、かつ／または展開される。１つまたは複数のエミュレーションデバイスは、１つまたは複数の、またはすべての機能を実施できるが、有線および／または無線通信ネットワークの一部として一時的に実施／または展開される。エミュレーションデバイスは、試験を行うために別のデバイスに直接結合され得る、かつ／または空中を介する無線通信を用いて試験を実施することができる。
【００６３】
１つまたは複数のエミュレーションデバイスは、１つまたは複数の、すべても含む機能を実施することができるが、有線および／または無線通信ネットワークの一部としては実施／展開されない。例えば、エミュレーションデバイスは、１つまたは複数の構成要素の試験を実施するために、試験用実験室、および／または展開されない（例えば、試験用の）有線および／または無線通信ネットワークにおける試験シナリオで利用され得る。１つまたは複数のエミュレーションデバイスは、試験装置とすることができる。データを送信および／または受信するために、直接ＲＦ結合、および／またはＲＦ回路（例えば、１つまたは複数のアンテナを含むことができる）を介する無線通信が、エミュレーションデバイスによって使用され得る。
【００６４】
本明細書で提供される例は、例えば、同じまたは異なる原理を適用可能であり得るとして用いるなど、本主題の、他の無線技術への可用性を制限するものではない。
【００６５】
「ネットワーク」は、１つまたは複数のｇＮＢを指すことができるが、それは、（例えば、次いで）無線アクセスネットワーク（ＲＡＮ）における１つまたは複数の送受信ポイント（ＴＲＰ）に、または他のノードに関連付けられ得る。
【００６６】
移動体通信は絶え間なく進化している。進化の第５世代は５Ｇと呼ばれる。
【００６７】
５Ｇシステムは、例えば、少なくとも部分的に、新無線（ＮＲ）アクセス技術に対応することができる。
【００６８】
５Ｇインターフェースは、例えば、向上させた広帯域性能（ＩＢＢ）、産業用制御および通信（ＩＣＣ）、車車間／路車間通信（Ｖ２Ｘ）、大容量マシンタイプ通信（ｍＭＴＣ）、超低遅延（ＬＬＣ）送信、超高信頼送信（ＵＲＣ）、および／またはＭＴＣ動作をサポートする、または使用可能にすることができ、それは、狭帯域動作を含むことができる。
【００６９】
ＬＬＣをサポートする例では、無線インターフェース遅延時間は、例えば、１ｍｓラウンドトリップタイム（ＲＴＴ）とすることができる。ＴＴＩは、例えば、１００μｓと２５０μｓとの間とすることができる。
【００７０】
ＷＴＲＵは、超低遅延時間（例えば、最初のシステムアクセスから、第１のユーザプレーンデータユニットの送信の完了までの時間）をサポートするように構成され得る。例えば、通信（例えば、ＩＣおよび／または車車間／路車間通信（Ｖ２Ｘ））は、例えば、１０ｍｓ未満のエンドツーエンド（ｅ２ｅ）遅延時間を有することができる。
【００７１】
ＵＲＣに対するサポートの例では、送信信頼性は、例えば、約９９．９９９％の送信成功およびサービス可用性とすることができる。
【００７２】
サポートは、移動性に対して提供され得る。移動速度は、例えば、０〜５００ｋｍ／ｈの範囲とすることができる。
【００７３】
サポートは、通信（例えば、ＩＣおよびＶ２Ｘ）に対して、１０ｅ-6未満のパケットロス率（ＰＬＲ）に対して提供され得る。
【００７４】
ＭＴＣ動作に対するサポートの例では、無線インターフェースは、狭帯域動作（例えば、２００ｋＨｚ未満を使用するなど）、延長された電池寿命（例えば、自律的に最高で１５年）、および／または少量かつ低頻度のデータ送信に対して最小の通信オーバヘッド（例えば、数秒から数時間のアクセス待ち時間で、１〜１００ｋｂｐｓの範囲の低データレート）をサポートすることができる。
【００７５】
直交周波数分割多重（ＯＦＤＭ）が、例えば、ＬＴＥおよび／またはＩＥＥＥ８０２．１１に対する、データ送信のための信号フォーマットとして使用され得る。ＯＦＤＭは、スペクトルを複数の平行な直交サブバンドへと分割するために使用され得る。（例えば、各）サブキャリアは、時間領域で長方形窓を用いて形成され、それは、周波数領域においてｓｉｎｃ形状のサブキャリアを生ずることができる。ＯＦＤＭアクセス（ＯＦＤＭＡ）は、例えば、信号間で直交性を維持し、かつキャリア間干渉を最小化するために、巡回プレフィックスの持続期間内において、（例えば、完全な）周波数同期化、および（例えば、厳密な）アップリンクタイミング調整の管理を用いて実施され得る。厳密な同期化は、例えば、ＷＴＲＵが、複数のアクセスポイントに同時に接続され得るシステムにおいて課題となり得る。ＷＴＲＵの送信に対して断片化されたスペクトルの集約の存在下で生ずる可能性のある、例えば、隣接帯域におけるスペクトル放出要件に準拠するために、さらなる電力低減がアップリンク送信に適用され得る。
【００７６】
ＯＦＤＭ（例えば、巡回プレフィックス（ＣＰ）−ＯＦＤＭ）は、例えば、集約を必要としない大きな連続スペクトルで動作するときなど、より厳格なＲＦ要件で実施され得る。ＣＰベースのＯＦＤＭ送信方式は、パイロット信号密度および位置に対する修正など、前の世代と同様に、５Ｇに対するダウンリンク物理レイヤを生ずることができる。
【００７７】
５ｇＦＬＥＸは、５Ｇシステムに対するＯＦＤＭ以外の波形を使用することができる。
【００７８】
５ｇＦＬＥＸ無線アクセスは、例えば、異なる二重構成、異なる、かつ／または可変サイズの利用可能なスペクトル（例えば、同じまたは異なる帯域における連続および／または非連続的なスペクトル割振りなど）など、異なる特性を有する異なる周波数帯域における展開を可能にできる非常に高度なスペクトル柔軟性により特徴付けられ得る。５ｇＦＬＥＸ無線アクセスは、複数のＴＴＩ長さ、および／または非同期送信など、可変のタイミング態様をサポートすることができる。
【００７９】
時分割二重通信（ＴＤＤ）、および周波数分割二重通信（ＦＤＤ）方式は、例えば、二重構成でサポートされ得る。補助的なＤＬ動作（例えば、ＦＤＤ動作に対する）が、例えば、スペクトル集約を用いてサポートされ得る。ＦＤＤ動作は、全二重ＦＤＤおよび半二重ＦＤＤ動作をサポートすることができる。ＤＬ／ＵＬ割振り（例えば、ＴＤＤ動作に対して）は、動的に行うことができる（例えば、固定ＤＬ／ＵＬフレーム構成に基づくことも、基づかないこともあり得る）。ＤＬ送信またはＵＬ送信間隔の長さは、例えば、送信機会ごとに設定され得る。
【００８０】
キャリア集約（ＣＡ）が、ＬＴＥ−Ａなどの無線通信ネットワークで使用され、かつＦＤＤおよびＴＤＤの両方に使用され得る。集約されるキャリアのそれぞれは、コンポーネントキャリア（ＣＣ）と呼ぶことができ、集約されるＣＣは、同じ帯域幅、または異なる帯域幅を有することができる。複数のＣＣの集約は、ＷＴＲＵに利用可能な無線帯域幅を増加させることができる。例えば、各ＣＣが、２０ＭＨｚの帯域幅を有し、かつ無線ネットワークが、最高で５つのＣＣを集約するように構成される場合、無線ネットワークは、ＷＴＲＵにデータを送信する、またはそこからデータを受信するとき、最大で１００ＭＨｚの集約された帯域幅を達成することができる。
【００８１】
ＣＡを使用する無線ネットワークでは、サービングセルごとに１つのＵＬ  ＣＣ、および対応する１つのＤＬ  ＣＣがあり得る。例えば、５つのＵＬ  ＣＣの集約は、５つのサービングセルを含むことができ、各集約されるＵＬ  ＣＣが、それぞれのサービングセルの対応するＤＬ  ＣＣに関連付けられる。したがって、ＣＡにおいて、集約されるＵＬ  ＣＣの数は、対応するＤＬ  ＣＣの数を超えないはずである。サービングセルの１つは、１次ＵＬ  ＣＣを管理できる１次サービングセルと呼ばれ得る。１次ＵＬ  ＣＣと集約される他のＵＬ  ＣＣは、２次ＵＬ  ＣＣと呼ばれ得る。２次ＵＬ  ＣＣは、それらの各２次サービングセルにより管理され得る。したがって、１次ＵＬ  ＣＣおよび２次ＵＬ  ＣＣは、それぞれ、各ＤＬ  ＣＣからの参照信号、および／または制御チャネルを利用することができる。１次ＵＬ  ＣＣおよび２次ＵＬ  ＣＣは、それぞれ、異なる物理セルＩＤ（ＰＣＩ）を有することができる。２次ＵＬ  ＣＣは、必要に応じて追加および除去され得るが、１次ＵＬ  ＣＣは、ハンドオーバ中など、いくつかの場合において、変更され得る。
【００８２】
図２は、ＷＴＲＵ（図示せず）が、ＤＬキャリアと、１つまたは複数のＵＬキャリアで構成され得る基地局２０２（例えば、ｇＮＢ）を含む例示的なセル２００（例えば、ＮＲにおける）を示している。セル２００は、エリア２０６、２０８、２１０を含むことのできる全体の無線カバレッジエリア２０４を有することができる。エリア２０６は、基地局２０２から半径方向外側に広がることができ、カバレッジエリア２０４の一部を表すことができる。エリア２０８は、基地局２０２から半径方向外側に、エリア２０６を超えて広がることができ、これもカバレッジエリア２０４の一部を表すことができる。エリア２１０は、基地局２０２から半径方向外側に、エリア２０６、２０８を超えて広がることができ、カバレッジエリア２０４と同じ（または実質的に同じ）であり得る。したがって、エリア２１０は、エリア２０６、２０８を包含することができ、またエリア２０８はエリア２０６を包含することができる。
【００８３】
セル２００内で動作するＷＴＲＵは、セル２００のＤＬキャリアに関連付けられたＵＬキャリアで構成され得る。このキャリアは、通常のＵＬ（ＲＵＬ）キャリアと呼ぶことができ、また帯域幅部分（ＢＷＰ）ｘを含むことができる。ＷＴＲＵは、１つまたは複数のさらなるアップリンクキャリアでさらに構成され、それは、補助的なＵＬ（ＳＵＬ）キャリアと呼ばれ得る。ＳＵＬキャリアは、ＢＷＰ  ｙを含むことができる。ＲＵＬおよびＳＵＬキャリアは、それぞれ、セル２００のＤＬキャリアに関連付けられ得る。したがって、ＲＵＬキャリアおよびＳＵＬキャリアの両方は、同じＤＬキャリアに関連付けられ得る、または本質的にリンクされ得る（例えば、ＤＬキャリアごとに複数のＵＬキャリアなど）。例えば、ＤＬキャリア上の参照信号が、ＲＵＬおよびＳＵＬキャリアに対するチャネル推定に使用され得る。ＤＬキャリア上の１つまたは複数の制御チャネルが、ＲＵＬおよびＳＵＬキャリアを制御するために使用され得る。ＲＵＬおよびＳＵＬキャリアは、同じＰＣＩを利用することができる。
【００８４】
ＤＬ、ＲＵＬ、および／またはＳＵＬキャリアの各周波数（または周波数帯域）は、同じ、または異なることができる。例えば、ＳＵＬキャリアの周波数（または周波数帯域）は、ＤＬキャリアおよび／またはＲＵＬキャリアの周波数（または周波数帯域）よりも高く、または低くすることができる。ＲＵＬおよびＳＵＬキャリアは、電力制御設定に対する各構成を含むことができる。例えば、ＲＵＬおよびＳＵＬキャリアは、それぞれ、別個の（例えば、異なる）最大電力設定（例えば、ＰＣＭＡＸ）、および／または他の関連する電力パラメータを有することができる。例えば、ＲＵＬキャリアがビーム形成され、かつチャネル状態（例えば、ＲＳＲＰ）が好ましくないシナリオにおいて、カバレッジを高めるために、ＳＵＬキャリアがセル２００により考慮され得る。ＳＵＬキャリアは、例えば、セル２００により決定されるように、いくつかのシナリオでは、ＲＵＬキャリアから容量をオフロードするために使用され得る。セル２００は、良好な信頼性を求めて物理アップリンク制御チャネル（ＰＵＣＣＨ）を半静的にＳＵＬ上で構成することを選択するが、データ送信のための容量強化用にＲＵＬキャリアを用いることができる。チャネル状態（例えば、測定されたＲＳＲＰ）が、構成された閾値未満である場合、リソース割振り手順がＳＵＬキャリアで開始され得る。
【００８５】
図２で示されるように、ＤＬ、ＲＵＬ、およびＳＵＬキャリアは、エリア２０６をカバーすることができる。所与の送信電力レベルにおいて、低周波送信が、より高い周波数送信よりも、長い距離にわたって伝播することができる。したがって、ＳＵＬキャリアの周波数が、ＲＵＬキャリアよりも低い場合、ＤＬおよびＳＵＬキャリアは、エリア２０８をカバーすることができ、エリア２０６を超えて広がることができる。ＳＵＬキャリアの周波数がＤＬキャリアより低い場合、ＳＵＬキャリアは、エリア２１０をカバーすることができ、それは、エリア２０６、２０８を超えて広がり、それにより、カバレッジエリア２０４全体を取り込む（または実質的に取り込む）ことができる。したがって、ＳＵＬキャリアは、例えば、ＷＴＲＵが、セル２００のＲＵＬキャリアのカバレッジの縁部に向けて移動するときに利用され得る。ＳＵＬキャリアは、より高いスループット、向上された送信信頼性、および／または低遅延を必要になり得る１つまたは複数のサービス（ＵＲＬＬＣ、ｅＭＢＢ、ＭＴＣなどといった）をサポートするために使用され得ることが理解されよう。
【００８６】
ＷＴＲＵは、例えば、ＷＴＲＵが、低周波数（または周波数帯域）で動作するように構成されるとき、ＳＵＬキャリアで送信を実施することができる。ＷＴＲＵは、ＲＵＬキャリアとＳＵＬキャリアとの間で切り換えるとき、送信周波数を変更するように構成された送信機を含むことができる。ＷＴＲＵは、したがって、送信を、ＲＵＬおよびＳＵＬキャリア上で、順次、またはほぼ同時に（例えば、ＴＤＭＡのように）実施するように構成され得る。例では、ＷＴＲＵは、複数の送信機を含むことができる（例えば、所与の時間に、または時間間隔で、１つがＲＵＬキャリア周波数上で送信するように構成され、また１つがＳＵＬキャリア周波数上で送信するように構成される）。したがって、ＷＴＲＵは、ＲＵＬおよびＳＵＬキャリア上で同時に送信を実施するように構成され得る。
【００８７】
ＳＵＬキャリアは、任意のタイプのセルに対して構成され得る。セル２００は、例えば、スタンドアロン無線システム、またはマルチＲＡＴデュアル接続無線システムの一部とすることができる。セル２００は、１次セル（ＰＣｅｌｌ）、２次セル（ＳＣｅｌｌ）、および／または２次ＰＣｅｌｌ（ＳＰＣｅｌｌ）とすることができ、デュアル接続に使用され得る。
【００８８】
例えば、セル２００で動作するＷＴＲＵは、ＲＵＬキャリアおよび／またはＳＵＬキャリアを用いて初期アクセスを実施することができる。例では、ＷＴＲＵは、例えば、サービングセルのＤＬキャリアの属性が、構成された閾値など、閾値未満である場合、初期アクセスに対してＳＵＬキャリアを選択することができる。ＤＬキャリアの属性は、最小の参照信号受信電力（ＲＳＲＰ）など、任意の適切な閾値に関連付けられ得る。セル２００の基地局２０２は、セル２００に対する（例えば、最小の）システム情報（ＳＩ）でなど、任意の適切なシグナリングを介して、ＳＵＬ構成を同報通信することができる。
【００８９】
ＷＴＲＵは、無線リソース制御（ＲＲＣ）接続モードなど、異なる動作モードでＳＵＬキャリアを使用するように構成され得る。第１のモードの例では、ＲＲＣエンティティは、セル２００における（例えば、典型的な）ＵＬ構成によりＲＵＬキャリアを含むことのできる、複数のＵＬキャリアでＷＴＲＵを構成することができる。複数のＵＬキャリアは、サウンディング参照信号（ＳＲＳ）構成を有するＳＵＬキャリアをさらに含むことができる。例示的な第１のモードでは、ＷＴＲＵは、ＲＵＬキャリアのリソースにより、（例えば、すべての）制御およびユーザデータを送信することができ、またＳＵＬキャリアのリソースを用いてＳＲＳ情報を送信することができる。ＲＲＣ構成（または再構成）は、例えば、ＵＬキャリアの１つを活動化し、かつ／またはセル２００に関連付けられた適用可能なアクティブなＵＬキャリアを切り換えるように、拡張された、典型的な、かつ／または完全なＵＬ構成をＷＴＲＵに提供することができる（例えば、いくつか、またはすべての送信に対して）。
【００９０】
第２のモードの例では、ＲＲＣエンティティは、拡張された、典型的な、かつ／または完全なＵＬ構成を用いて複数のＵＬキャリアでＷＴＲＵを構成することができる。構成は、ＷＴＲＵが、構成されたＵＬキャリア（例えば、ＲＵＬおよび／またはＳＵＬキャリア）のリソースを用いて、１つまたは複数のＵＬ送信（例えば、ＰＵＣＣＨ、物理アップリンク共有チャネル（ＰＵＳＣＨ）、および／または物理ランダムアクセスチャネル（ＰＲＡＣＨ））を実施するのに十分なものであり得る。ＷＴＲＵは、ＲＵＬキャリアとＳＵＬキャリアとの間の切換えなど、ＵＬキャリア間の切換えを活動化し、かつ／または開始できる制御信号を（例えば、ＭＡＣ制御要素（ＣＥ）により、またはダウンリンク制御情報（ＤＣＩ）により）（例えば、その後に）受信することができる。
【００９１】
第３のモードの例では、ＲＲＣエンティティは、同時に、かつ／またはＴＤＭＡのようにアクティブであり得る複数のＵＬキャリアを用いてＷＴＲＵを構成することができる。この動作モードは、ＷＴＲＵが、１つまたは複数のタイプのＵＬ送信を（例えば、同時に）実施するのを制限することができる。例えば、ＷＴＲＵは、ＲＵＬおよびＳＵＬキャリア上で同時に、セル２００に対するＰＵＳＣＨを送信することができない。制限は、例えば、ＷＴＲＵが単一の送信機を備えている場合など、ＷＴＲＵが、同時送信（例えば、構成された周波数帯域に対して）をサポートしない場合に構成され得る。
【００９２】
ＷＴＲＵは、セル２００および／または関連するＵＬキャリアの１つまたは複数のＢＷＰを用いて構成され得る。各ＢＷＰは、サブキャリア間隔、巡回プレフィックス、および／またはいくつかの連続する物理リソースブロック（ＰＲＢ）により（例えば、構成態様により）特徴付けられ得る。各ＢＷＰは、中心周波数などの周波数位置を含むことができる。
【００９３】
ＷＴＲＵは、（例えば、初期の）ＢＷＰを用いて構成され得る。例えば、ＷＴＲＵは、ＳＩの受信から（例えば、初期の）ＢＷＰを用いて構成され、それは、ＷＴＲＵに、セル２００および／または関連するＵＬキャリアの初期ＢＷＰを用いてシステムにアクセスできるようにする。ＷＴＲＵは、ＷＴＲＵがアイドルモードにあるとき、かつ／またはＷＴＲＵがシステムに対するＲＲＣ接続を確立すべきであると決定したときなど、初期アクセスに対して構成され得る。初期ＢＷＰの構成は、ランダムアクセスに対する構成を含むことができる。
【００９４】
ＷＴＲＵは、ＷＴＲＵが接続モードにあるときなど、デフォルトのＢＷＰを用いて構成され得る。デフォルトＢＷＰは、初期ＢＷＰと同じ、同様のもの、または異なるものとすることができる。ＷＴＲＵは、タイマの終了後など、いくつかの状態に基づいて、デフォルトのＢＷＰに戻るように決定することができる。一例では、タイマは、活動または非活動をスケジュールする期間に対応することができる。
【００９５】
ＷＴＲＵは、さらなるＢＷＰを用いて構成され得る。例えば、ＷＴＲＵは、ＵＲＬＬＣサービスをサポートするものなど、特定タイプのデータ転送に対して１つまたは複数のＢＷＰを用いて構成され得る。
【００９６】
本明細書で述べられる例は、異なるアップリンクキャリア（例えば、ＲＵＬ、ＳＵＬなど）上で送信されるデータおよび／または論理チャネルを選択することに関して述べられているが、選択するための例および基準はまた、所与の送信に使用するＢＷＰを選択することにも等しく適用可能であり得る。例えば、論理チャネルは、いくつかのＢＷＰ上での送信に制限されることができ、かつ／または送信用に適切なＵＬキャリアを選択するためにここで使用される他の基準は、送信用に適切なＢＷＰを選択するためにも同様に使用され得る。
【００９７】
上記のように、セル２００は、ＤＬキャリア周波数で、また（例えば、任意選択で）ＲＵＬキャリアなどのＵＬキャリア周波数で動作することができる。セル２００は、ＳＵＬキャリアなどのさらなるＵＬキャリアでさらに動作することができる。ＮＲの場合、ＷＴＲＵは、ＤＬキャリアに関連付けられたゼロ、１つ、２つ、またはそれ以上のアップリンクキャリア（例えば、ＲＵＬおよびＳＵＬキャリア）を用いて動作するように構成され得る。２つ以上のＵＬキャリアは、異なる周波数帯域にあり、ＷＴＲＵの手順に影響を与える可能性がある。手順は、例えば、同じキャリアにおけるＤＬ送信の経路損失取得に基づくことができる。
【００９８】
レイヤ２（Ｌ２）手順に対するＵＬキャリアの選択は、ＤＬおよびＵＬキャリア、提供される無線サービス、および／または送信されるデータ／情報など、無線システムに関連する１つまたは複数の属性（例えば、ファクタ、パラメータ、基準、条件、トリガ、品質、特性など）に依存することができる。属性の１つまたは複数のものは、ＷＴＲＵにより、構成されたＵＬキャリアのうちのどれが、所与の送信に利用され得るかを決定するために使用され得る。属性はまた、ＵＬキャリア間（例えば、ＲＵＬキャリアとＳＵＬキャリアとの間）の移行、および／または進行中の手順に対する何らかの影響を決定するために使用され得る。
【００９９】
上記のように、ＷＴＲＵは、図２で示されるセル２００など、所与のセルに対して、１つまたは複数のＳＵＬキャリアを用いて構成され得る。個々のＳＵＬキャリアが本明細書で述べられる場合、同じ考慮が、複数のＳＵＬキャリアを用いて構成されたＷＴＲＵに対して、個々に、または組み合わせて適用できることが理解されよう。例えば、ＷＴＲＵは、適用可能／利用可能なＵＬキャリアの第１のサブセットを（例えば、特定の閾値を満たす、またはそれを超えるＤＬ測定に基づいて）選択し、かつ適用可能なＵＬキャリアを（例えば、ＤＣＩまたはＤＣＩスケジューリングの受信に基づいて）決定することができる。ＵＬキャリアは、構成されたＵＬ  ＢＷＰとして表され得る。例えば、ＷＴＲＵは、（例えば、ＵＬだけの）ＢＷＰ決定のみに基づいて、または本明細書で述べられる他の技法と組み合わせて、適用可能なＳＵＬキャリアを決定することができる。
【０１００】
ＷＴＲＵは、複数のＵＬキャリアを、順次、または同時に用いてデータ／情報を送信することにより、パケット複製を使用することができる。複製データは、ＲＵＬキャリアにより、かつ／または１つまたは複数のＳＵＬキャリアにより複数のＵＬキャリア上で送信され得る。パケット複製は、キャリアのサブセットに対する伝播状態が悪化した状況において有用であり得る。パケット複製はまた、送信信頼性および／または遅延を向上させるのに有用であり得る。
【０１０１】
適用可能なＵＬキャリアの決定（例えば、ＲＵＬおよびＳＵＬキャリアの選択および／または活動化）は、静的、半静的、および／または動的に行うことができる。適用可能なＵＬキャリアの静的な決定は、ＳＩの受信から、かつ／または事前構成からなど、構成によることができる。適用可能なＵＬキャリアの半静的な決定は、レイヤ３（Ｌ３）シグナリングにより、かつ／またはＲＲＣ制御によることができる。適用可能なＵＬキャリアの動的な決定は、レイヤ１（Ｌ１）、またはレイヤ２（Ｌ２）シグナリングにより、かつ／またはＬ１／ＭＡＣシグナリングによることができる。
【０１０２】
ＲＵＬおよびＳＵＬキャリアで構成されるＷＴＲＵは（例えば、また）、ＳＵＬキャリアに対するＳＲＳを用いて構成され得る。したがって、ＷＴＲＵは、例えば、どのＵＬキャリアを選択および／または活動化すべきかを決定するための閾値を用いて構成され得る。
【０１０３】
無線ネットワーク（例えば、セル２００による）は、ＲＵＬおよびＳＵＬキャリアの選択および／または活動化を制御することができる。半静的な構成の例では、ＷＴＲＵは、最初に、ＲＵＬキャリアおよび閾値を用いて（例えば、ＳＵＬキャリアに対するＳＲＳを用いて、または用いずに）、（例えば、ＲＲＣエンティティにより）構成され得る。ＷＴＲＵは、その後に続いて、イベント時にＳＵＬキャリアを用いて構成され得る（例えば、ＲＲＣエンティティにより）。
【０１０４】
動的な構成／シグナリングの例では、ＷＴＲＵは、ＲＵＬおよび／またはＳＵＬキャリアを使用する表示を（例えば、ＤＣＩ、ＤＣＩ表示、および／またはＭＡＣ  ＣＥにより）受信することができる。例えば、ＳＵＬキャリアを用いるセル２００などのセルの再構成は、例えば、ＳＵＬキャリアに対するキャリアＩＤを用いるクロスキャリアスケジューリングに対して、または関連するＳＵＬキャリアのＢＷＰ制御に対して、ＤＣＩにより伝達され得る。
【０１０５】
半静的な構成／シグナリングと動的なものとを組み合わせる例では、例えば、ＲＵＬキャリアおよび／またはＳＵＬキャリアを使用すべきかどうかをＷＴＲＵに伝達するために、特定のＨＡＲＱプロセスＩＤを有するＤＣＩが使用され得る。ＷＴＲＵは、ＲＵＬおよびＳＵＬキャリアに対してＨＡＲＱプロセスの異なるセットを用いて（例えば、最初に）構成され得る。ＨＡＲＱプロセスは、それぞれ、プロセスＩＤを含むことができる。ＷＴＲＵは、例えば、ＤＣＩで示され得る（例えば、構成される、または動的に割り振られる）各プロセスＩＤに基づいて、どのＵＬキャリアを使用すべきかを決定することができる。
【０１０６】
ＷＴＲＵは、ＲＵＬおよび／またはＳＵＬキャリアの選択および／または活動化を開始することができる。例では、ＷＴＲＵは、各閾値が達成された（または達成されていない）と決定することができ、その時点で、ＷＴＲＵは、ＲＵＬおよび／またはＳＵＬキャリアを選択し、かつ／またはＲＵＬキャリアとＳＵＬキャリアとの間の切換えを実施する手順を開始することができる。ネットワーク（例えば、セル２００）は、適用可能なＵＬキャリアの変化が生じたと決定することができる。例えば、ネットワークは、ＷＴＲＵにより開始されたランダムアクセス手順から、かつ／またはＵＬ制御情報のＷＴＲＵの送信から、ＷＴＲＵがＲＵＬおよび／またはＳＵＬキャリア上でＳＲＳの送信を開始した結果として、変化が生じたと決定することができる。ＷＴＲＵは、例えば、以下の１つまたは複数のものに基づいて、ＲＵＬおよび／またはＳＵＬキャリアを選択する、またはそれらの間を切り換える（かつこのような選択／切換えをネットワークに報告する）ように決定することができる、すなわち、（ｉ）１つまたは複数の測定レポートトリガリングイベント（例えば、ＭＡＣ  ＣＥ、状態レポート（ＳＲ）送信、測定、ＲＲＣシグナリング、ＳＵＬキャリア上でＳＲＳの使用を開始する、ＳＵＬキャリア上のＲＡＣＨなど）、（ｉｉ）例えば、ＷＴＲＵが、ＵＬキャリアにおいて時間で整合され得るとき、ＳＲＳの送信（例えば、ＲＵＬキャリアまたはＳＵＬキャリアのリソースにおいて）による表示を備えた測定またはＤＬ経路損失推定、および／または（ｉｉｉ）例えば、特定のプリアンブルおよび／またはＰＲＡＣＨリソースを用いて、ＲＡＣＨを用いた送信（例えば、ＲＵＬキャリアまたはＳＵＬキャリアのリソースにおける）による表示を備えた測定またはＤＬ経路損失推定である。ネットワーク（例えば、セル２００）は、ＭＡＣ  ＣＥ、ＤＣＩ、ＲＲＣによるなど、切換えを命令することができる、またはＵＬキャリア上でＵＬ−ＳＣＨリソースを提供することができる。
【０１０７】
ＲＵＬおよび／またはＳＵＬキャリアの選択、切換え、活動化、および／または開始は、例えば、静的、半静的、動的、事前構成される、ネットワーク制御される、ＷＴＲＵで開始されるものなどの任意の組合せとすることができることが理解されよう。
【０１０８】
ＲＵＬおよび／またはＳＵＬキャリアの活動化、選択、および／または切換えは、例えば、無線システムの１つまたは複数の属性に基づいて決定され得る様々な（例えば、動的な）理由またはトリガを有することができる。例えば、活動化、選択、および／または切換えは、以下の属性の１つまたは複数のものに基づくことができる、すなわち、（ｉ）タイミング態様（例えば、いくつかのスロットがＵＬキャリアに割り当てられ得る）、（ｉｉ）送信タイプ（例えば、ＵＲＬＬＣ、ｅＭＢＢ、ｍＭＴＣなど）、信号、および／または送信用のＵＬチャネル、（ｉｉｉ）送信に使用されるサブキャリア間隔（ＳＣＳ）、（ｉｖ）論理チャネル（ＬＣＨ）構成、（ｖ）サービスタイプ（例えば、ＵＲＬＬＣ、ｅＭＢＢ、ｍＭＴＣ）、（ｖｉ）ペイロード、送信に利用可能なデータの量、および／またはデータサイズ、（ｖｉｉ）ＵＬ許可またはＤＬ割当てにおける表示（例えば、ＨＡＲＱフィードバックに使用されるキャリアを示す）、（ｖｉｉｉ）送信の冗長バージョン（ＲＶ）（例えば、再送信は、前の（再）送信とは異なるＵＬキャリアを使用することができる）、（ｉｘ）ＷＴＲＵの移動性または速度、および／または（ｘ）送信されるデータのＱｏＳ（例えば、遅延）要件である。
【０１０９】
タイミング属性は、システムフレーム番号付け（ＳＦＮ）などのシステム関連のタイミング、フレーミング関連のタイミング、および／またはタイマを用いて制御されるタイミングなどの他のタイミングを含むことができる。例えば、フレーミング関連のタイミングの場合、シンボル、ミニスロット、スロット、および／またはサブフレームが、１つまたは複数の関連するＵＬキャリアに割り当てられる、または関連付けられ得る。
【０１１０】
送信タイプ（例えば、ＵＬ制御情報、ＲＲＣ制御プレーンシグナリング、ユーザプレーンデータ）、信号、および／または送信されるＵＬチャネル（例えば、ＰＵＣＣＨ、ＰＵＳＣＨ、ＳＲＳなど）に関しては、ＷＴＲＵは、第１のキャリア（例えば、ＲＵＬキャリア）を用いてＵＬ制御情報（例えば、ＨＡＲＱフィードバック、チャネル品質表示（ＣＱＩ）など）の送信を実施することができるが、ＷＴＲＵは、第２のキャリア（例えば、ＳＵＬキャリア）のリソース上でデータの送信を実施することができる。
【０１１１】
ＳＣＳ送信に関しては、ＷＴＲＵは、ベアラのタイプ（例えば、シグナリング無線ベアラ（ＳＲＢ）、または専用無線ベアラ（ＤＲＢ）、および適用可能なＳＣＳ）の間の関連付けなどの構成態様に応じて、第１のＳＣＳで構成された第１のＵＬキャリアのリソースを用いて第１の送信を実施することができ、また第２のＳＣＳで構成された第２のＵＬキャリアのリソースを用いて第２の送信を実施することができる。
【０１１２】
図３〜図５に関連して以下でさらに論ずるように、ＬＣＨ構成の場合、ＷＴＲＵが、１つまたは複数の適用可能なＵＬキャリアとＬＣＨ（または各ＬＣＨからデータ送信を行うためのＬＣＨグループ（ＬＣＧ）など、そのグループ）との間の関連付けを用いて構成され得る。ＷＴＲＵが、データに関連付けられたＬＣＨに応じて、送信に利用可能な（例えば、新しい）データを有すると決定した場合、ＷＴＲＵは、適用可能なＵＬキャリアを決定することができる。別の例では、ＬＣＨのＱｏＳまたは優先順位構成がＷＴＲＵにより使用され、どのＵＬキャリアが利用されるかを決定することができる。
【０１１３】
サービスタイプは、非アクセス層（ＮＡＳ）、またはアクセス層（ＡＳ）のいずれかにおいて構成されるネットワークで構成されたアクセスカテゴリにリンクされ得る。サービスタイプは、ＳＩにおいてアドバタイズされる、かつ／またはＷＴＲＵ特有のシグナリングにより提供され得る。サービスタイプは、ニューメロロジおよび／または送信持続期間など、下位レイヤにおける送信パラメータにリンクされ得る。
【０１１４】
ペイロード、送信に利用可能なデータの量、および／またはデータサイズに関しては、ＷＴＲＵは、例えば、送信されるデータのサイズに応じて、適用可能なＵＬキャリアを決定するように構成され得る。送信されるデータのサイズは、１つまたは複数のＬＣＨに対して、所与の送信に対するトランスポートブロック（ＴＢ）、ＭＡＣ  ＰＤＵ、ＲＬＣ  ＰＤＵ、またはパケットデータコンバージェンスプロトコル（ＰＤＣＰ）ＰＤＵ、および／または送信に利用可能なデータの合計量に対応することができる。例えば、ＷＴＲＵは、データの量が、（おそらく、構成された）閾値未満であると決定した場合、第１のＵＬキャリア（例えば、ＳＵＬキャリア）のリソースを、またはデータの量が、閾値を超える場合、第２のＵＬキャリアのものを使用するように決定することができる。ＷＴＲＵは、閾値属性だけに基づいて、または許可サイズもしくは経路損失推定など、別の属性との組合せに基づいて、ＵＬキャリア選択を行うことができる。例えば、ＷＴＲＵがＳＵＬキャリアで構成される場合、ＷＴＲＵは、データの量が、（おそらく、構成された）閾値を超えると決定した場合には、かつ／または推定される経路損失が閾値未満である、かつ／または関連するデータサイズに関連付けられた値より少ないＷＴＲＵの利用可能な合計電力未満である場合には、別のＵＬキャリア（例えば、ＲＵＬキャリア）のリソースの使用を決定することができる。そうではない場合、ＷＴＲＵは、ＳＵＬキャリアのリソースを使用することができる。
【０１１５】
ＵＬまたはＤＬ割当ての表示に関して、ＷＴＲＵは、ＤＬ送信に対するＨＡＲＱフィードバックの送信に適用可能なＵＬキャリアを示すＤＬ制御シグナリングを受信することができる。例えば、ＷＴＲＵは、ＵＬ送信におけるＴＢの送信に対して適用可能なＵＬキャリアを示すことのできるＤＬ制御シグナリングを受信することができる。表示は、例えば、ＷＴＲＵにより（例えば、構成された許可により、かつ／または半恒久的なスケジューリングにより）受信された上位レイヤ（例えば、ＲＲＣレイヤ）構成で示される構成態様とすることができる。
【０１１６】
送信のＲＶに関しては、ＨＡＲＱ再送信は、適用可能なＲＶに応じて、前の（再）送信とは異なるＵＬキャリアを使用することができる。したがって、ＷＴＲＵは、例えば、ＨＡＲＱプロセスに対する（再）送信のシーケンスから、適用可能なＵＬキャリアを決定することができる。
【０１１７】
ＷＴＲＵの移動性または速度に関しては、ＷＴＲＵは、その推定される速度、時間期間にわたるハンドオーバの周波数もしくは数、かつ／またはページングもしくはトラッキングエリア更新の頻度に応じて、適用可能なＵＬキャリアを決定することができる。
【０１１８】
ＷＴＲＵは、ＵＬキャリア選択を、キャリアの可用性に、かつ／またはいくつかの品質閾値のみ（例えば、ＲＳＲＰ）を、または上記の基準のいずれかと組み合わせて満たすことに条件付けることができる。
【０１１９】
ＷＴＲＵは、例えば、トリガ条件が満たされたとき、ＲＵＬキャリアからＳＵＬキャリアへと、（例えば、自律的に）切り換えることができる。
【０１２０】
ＷＴＲＵは、例えば、同じ時間リソースに対して、かつ／または重複する時間リソースに対して、ＲＵＬキャリアおよび／またはＳＵＬキャリアに対する許可を受信することができる。ＲＵＬおよびＳＵＬキャリアに対するＵＬ許可は、同じＤＣＩまたは異なるＤＣＩにおいて受信され得る。ＷＴＲＵは、ＲＵＬキャリアに対して受信された許可を、ＳＵＬキャリアにおける対応する許可へと変換する（例えば、機能を用いて）ように構成されることができ、かつ／またはその逆も同様である。これは、トリガ条件が満たされたとき、ＲＵＬキャリアとＳＵＬキャリアとの間で（例えば、高速の）ＷＴＲＵの自律的切換えを可能にすることができる。
【０１２１】
ＷＴＲＵは、ＰＵＳＣＨで送信すべきＵＬキャリアを決定することができる。ＷＴＲＵは、無線システムの以下の属性の１つまたは複数のものに基づくことのできる優先順位付け（例えば、優先順位付け手順）に従って、ＰＵＳＣＨで送信するためのＵＬキャリアを選択することができる、すなわち、（ｉ）ＲＵＬキャリアおよび／またはＳＵＬキャリアに対する推定される経路損失（例えば、ＲＵＬキャリアに対する経路損失が構成された閾値未満であるとき、ＳＵＬキャリアへの切換えがトリガされ得る）、（ｉｉ）ＲＵＬキャリアおよび／またはＳＵＬキャリアの電力ヘッドルーム（ＰＨ）（例えば、ＳＵＬキャリアは、ＲＵＬキャリアのＰＨが０ｄＢなど、閾値未満であるとき使用され得る）、（ｉｉｉ）ペイロード、送信に利用可能なデータの量、および／またはデータサイズ、（ｉｖ）１つまたは複数のＲＵＬ許可のサイズに対する１つまたは複数のＳＵＬ許可のサイズ（例えば、ＭＡＣ多重およびアセンブリエンティティにより生成されたＭＡＣ  ＰＤＵが、セグメント化せずにいずれの許可にも適合できる場合）、（ｖ）バッファされたデータおよび関連する優先順位を有するＬＣＨ（例えば、ＬＣＨ優先順位付け（ＬＣＰ）手順により課せられ得るいずれかのチャネル選択制限を含む）、（ｖｉ）ＲＡＣＨ手順におけるＵＬキャリア選択に対する１つまたは複数のトリガイベントの発生率、および／または（ｖｉｉ）動的なＲＵＬ／ＳＵＬキャリア選択基準または条件（例えば、Ｌ１／Ｌ２シグナリングによる表示）である。例えば、ＷＴＲＵは、複数のＵＬキャリア（例えば、ＲＵＬおよびＳＵＬキャリアの両方など）における同時送信が利用できない、可能ではない、または実際的ではない場合の送信に対してＵＬキャリアを選択することができる。
【０１２２】
ＷＴＲＵは、選択されたＵＬをネットワーク（例えば、セル２００）に示すことができ、ＷＴＲＵは、ＰＵＳＣＨで送信するためにそれを使用することができる。ＷＴＲＵは、例えば、アップリンク制御情報（ＵＣＩ）の例示的なタイプを（例えば、ＲＵＬおよび／またはＳＵＬキャリアを介して）送信し、かつ／または選択されたＵＬキャリアに関するＵＣＩを、ＰＵＳＣＨ上に多重化する、もしくはＲＵＬおよび／またはＳＵＬキャリア上の（例えば、特定の）ＰＵＣＣＨリソース上に多重化することにより、ネットワークに情報を報告することができる。
【０１２３】
ＷＴＲＵは、ＲＵＬおよび／またはＳＵＬキャリア上で送信するためのリソースを示すことのできる許可に従って、ＲＵＬおよび／またはＳＵＬキャリア上で（例えば、さらに、または代替的に）送信することができる。ＲＵＬおよびＳＵＬ送信は、同時に、または同時ではないこともあり得る。例えば、ＷＴＲＵは、より大きなＳＣＳを有するＵＬキャリア上で（例えば、最初に）送信することができ、また（例えば、その後に続いて）より小さなＳＣＳを有するＵＬキャリア上で複製（例えば、同じまたは異なるＲＶを有する）を送信することができる。こうすることは、例えば、ネットワーク（例えば、セル２００）が、第１の送信後（例えば、その場合に限って）ＷＴＲＵの送信の復号を試みることを可能にすることができる（例えば、低遅延で）。
【０１２４】
適用可能性制限が利用され得る。例では、許可のＨＡＲＱ情報におけるＤＣＩ表示は、ＲＵＬおよび／またはＳＵＬキャリアなど、どのＵＬキャリアを使用すべきかに関する情報を（例えば、暗黙的に、または明示的に）提供する（例えば、ＭＡＣエンティティに）ことができる。ＬＣＰ手順は、一定の、または指定されたＵＬキャリアを使用する（または使用しない）ようにＬＣＨを（例えば、ＭＡＣエンティティにより）制限するために使用され得る。このような制限は、例えば、ＬＣＨの１つまたは複数のものに対する向上された信頼性および／または遅延に対して使用され得る。
【０１２５】
ＬＣＰ手順は、ＬＣＨを各ＵＬキャリアに割り当てるために、無線システムに関連する１つまたは複数の属性（例えば、ファクタ、パラメータ、基準、条件、トリガ、品質、特性など）を使用することができる。属性は、以下の１つまたは複数のものに関連することができる、すなわち、（ｉ）システム関連タイミング、（ｉｉ）ＵＬ送信のタイプ（例えば、ＵＣＩ、制御プレーンシグナリング、ユーザプレーンデータ）、（ｉｉｉ）ＵＬ送信に使用されるＳＣＳ、（ｉｖ）ＱｏＳ要件、（ｖ）ＵＬ送信によりサポートされるサービス（例えば、ＵＲＬＬＣ、ｅＭＢＢ、ｍＭＴＣなど）、（ｖｉ）ペイロード、データサイズ、および／または送信されるデータの量、（ｖｉｉ）ＵＬおよび／またはＤＬ割当てにおける表示、（ｖｉｉｉ）送信のＲＶ、（ｉｘ）ＷＴＲＵの速度などのＷＴＲＵの移動性、ＷＴＲＵハンドオーバの頻度、および／またはページング／トラッキングエリア更新の頻度、（ｘ）ＲＵＬおよびＳＵＬキャリアの無線カバレッジ（例えば、閾値を超える、または未満であるＲＳＲＰ測定）、および／または（ｘｉ）送信されるデータの優先順位である。
【０１２６】
ＲＲＣエンティティは、ＬＣＰ手順を使用して、ＷＴＲＵのＬＣＨの１つまたは複数のものを各ＵＬキャリアに割り当てることができる。例えば、ＲＲＣエンティティは、以下の１つまたは複数のものに従ってＵＬキャリアを割り当てることができる、すなわち、（ｉ）ＵＬ−ＳＣＨリソースに対してだけのＲＵＬキャリア、（ｉｉ）ＵＬ−ＳＣＨリソースに対してだけのＳＵＬキャリア、（ｉｉｉ）ＲＵＬキャリアおよびＳＵＬキャリアの両方（例えば、制限なし）である。属性に基づいて、ＲＲＣエンティティは、ＲＵＬおよびＳＵＬキャリアにわたって複製が実施されるべきであることを示すことができる。複製データは、ＲＵＬおよびＳＵＬキャリア上で、順次、または同時に送信され得る。
【０１２７】
ＷＴＲＵは、１つまたは複数のＵＬ許可を受信するように構成された受信機を含むことができる。ＵＬ許可は、ＲＵＬキャリアに関連付けられた割振りと、ＳＵＬキャリアに関連付けられた割振りとを含むことができる。ＲＵＬおよびＳＵＬキャリアは、サービングセルの共通のＤＬキャリアに関連付けられ得る。ＷＴＲＵは、１つまたは複数のＵＬ許可における割振りに従って送信するために、１つまたは複数の論理チャネルからデータを選択するように構成されたプロセッサを含むことができる。例えば、１つの論理チャネルは、少なくとも、ＲＵＬキャリアに関連付けられた割振りに基づいて選択され、また別の論理チャネルは、少なくとも、ＳＵＬキャリアに関連付けられた別の割振りに基づいて選択され得る。ＷＴＲＵは、各割振りに従って、ＲＵＬキャリア上のその１つの論理チャネルからデータを送信し、ＳＵＬキャリア上のその別の論理チャネルからデータを送信するように構成された送信機を含むことができる。
【０１２８】
図３は、例示的なＬＣＰ手順３００を示す。図３で示されるように、ＷＴＲＵにより送信されたデータは、各優先順位に割り当てられ得る。例えば、データは、ＬＣＨ１、ＬＣＨ２、およびＬＣＨ３など、１つまたは複数のＬＣＨに関連付けられ得る。ＬＣＨ２からのデータは、ＬＣＨ１およびＬＣＨ３からのデータよりも高い優先順位を有することができる。ＬＣＨ１からのデータは、ＬＣＨ３からのデータよりも高い優先順位を有することができる。したがって、ＬＣＨ２からのデータは、最高の優先順位に割り当てることができ、またＬＣＨ３からのデータは、最低の優先順位に割り当てられ得る。
【０１２９】
データの優先順位付けに加えて、ＬＣＰ手順３００は、データの送信に対するＵＬキャリア割当てをさらに含むことができる。例えば、図３でさらに示されるように、ＬＣＨ１、ＬＣＨ２、および／またはＬＣＨ３からのデータは、１つまたは複数のＵＬキャリア（例えば、ＲＵＬおよび／またはＳＵＬキャリア）に割り当てられ得る。ＬＣＨ１からのデータは、無線カバレッジに基づいてＲＵＬおよびＳＵＬキャリアに割り当てられ得る。例えば、ＷＴＲＵは、ＲＵＬキャリアの属性が閾値を超えている場合、ＲＵＬキャリア上でＬＣＨ１からのデータを送信することができる。属性は、ＲＵＬキャリアに関連付けられたＲＳＲＰ測定を含むことができる。ＲＳＲＰ測定は、例えば、ＷＴＲＵが、基地局（例えば、基地局２０２）から一定の距離（例えば、エリア２０６を備える）内にあるとき、閾値を超えることができる。ＷＴＲＵが、図２で示されたセル２００内のエリア２０６の縁部に接近したときなど、ＲＵＬキャリアのカバレッジの縁部に近づくと、ＲＳＲＰ測定は、閾値未満に低下する可能性がある。属性が、閾値未満である場合（例えば、ＷＴＲＵが、セル２００におけるエリア２０６を越えたためなど）、ＷＴＲＵは、ＬＣＨ１からのデータをＳＵＬキャリア上で送信するように構成され得る。
【０１３０】
ＬＣＨ２からのデータは、高信頼性および／または低遅延など、いくつかの送信要件を有する特定のサービスに対応することができる。例えば、図３で示されるように、ＬＣＨ２からのデータは、ＵＲＬＬＣタイプサービスに対応することができる。したがって、ＬＣＨ２からのデータは複製され、かつＲＵＬおよびＳＵＬキャリアを介して送信され得る。データは、ＲＵＬおよびＳＵＬキャリアを介して、順次または同時に送信され得る。
【０１３１】
ＬＣＨ３からのデータはまた、ｅＭＢＢなど、特定のサービスに対応することができる。ＬＣＨ３からのデータは、ＲＵＬキャリアを介する送信に割り当てられ得る。
【０１３２】
図３に関して述べられた前述の優先順位付け手順、およびチャネル割当ては、単に例示的なものに過ぎないことが理解されよう。他のデータ優先順位付け手順、および／またはＬＣＨ  ＵＬチャネル割当てが、開示された実施形態との一貫性を有しながら実施され得る。
【０１３３】
図４は、ＴＴＩの例示的なシリーズ４００を示しており、そのＴＴＩ中に、１つまたは複数の論理チャネルからのデータが、図３に関して述べられたＬＣＰ手順３００に基づいて、ＲＵＬおよびＳＵＬキャリアなどのＵＬキャリアを介してＷＴＲＵにより送信され得る。図４で示されるように、ＷＴＲＵは、ＲＵＬキャリアに対する許可１を、またＳＵＬキャリアに対する許可２を受信することができる。ＷＴＲＵは、ＷＴＲＵの機能に基づいて、ＲＵＬおよびＳＵＬキャリアのリソースを、順次（例えば、異なるＴＴＩで）利用することができる。例えば、ＷＴＲＵは、複数の送信機を含まないこともあり得る。したがって、ＷＴＲＵは、同じＴＴＩ中に、ＲＵＬおよびＳＵＬキャリア上で送信するなど、同時に異なる周波数で送信することができない。ＲＵＬおよびＳＵＬキャリア上の同時送信の例は、図５に関して以下でさらに述べられることになる。
【０１３４】
図４で示されるように、シリーズ４００は、ＴＴＩ１、ＴＴＩ２、ＴＴＩ３、ＴＴＩ４、ＴＴＩ５、およびＴＴＩ６を含むことができるが、シリーズ４００は、任意の数のＴＴＩを含み得ることが理解されよう。データは、ＵＬ送信に対してＬＣＨ１、ＬＣＨ２、およびＬＣＨ３からバッファされ得るが、データは、任意の数のＬＣＨからバッファされ得ることがさらに理解されよう。ＴＴＩ１、ＴＴＩ２、ＴＴＩ３、ＴＴＩ４、ＴＴＩ５、および／またはＴＴＩ６中に、データは、ＲＵＬキャリア（許可１）、および／またはＳＵＬキャリア（許可２）を介して送信され得る。ＲＵＬおよびＳＵＬキャリアは、２ｋビットおよび２５６ビットのトランスポートブロックサイズ（ＴＢＳ）をそれぞれ有することができるが、図４で示されたＲＵＬおよびＳＵＬキャリアのＴＢＳ値は、単に例示的なものに過ぎない。
【０１３５】
ＴＴＩ１において、ＬＣＨ１またはＬＣＨ２から、バッファされ得るデータはないが、３ｋビットが、ＬＣＨ３から（例えば、新しく）バッファされ得る。ＬＣＰ手順３００に従って、ＬＣＨ３からバッファされた３ｋビット（例えば、ｅＭＢＢに関連するデータ）が、ＲＵＬキャリアを介して送信され得る。したがって、ＷＴＲＵは、ＲＵＬキャリア（許可１）を選択して、ＴＴＩ１中に、ＬＣＨ３から、バッファされたデータのうちの２ｋビットを送信することができる（ＲＵＬキャリアの例示的なＴＢＳに従って）。
【０１３６】
ＴＴＩ２では、ＬＣＨ２からバッファされ得るデータはないが、６００ビットが、ＬＣＨ１から（例えば、新しく）バッファされ、１ｋビットが、ＬＣＨ３からバッファされたままであり得る（例えば、３ｋビット引く２ｋビットがＴＴＩ１中に送信された）。ＬＣＨ１からバッファされた６００ビットは、ＵＲＬＬＣを必要とするサービスなど、いくつかのサービスをサポートすることができる。ＬＣＰ手順３００に従って、ＬＣＨ１からバッファされた６００ビットは、ＬＣＨ３からバッファされた１ｋビットに対して優先権を有することができる。さらに、ＬＣＨ１からの６００ビットは、キャリアの属性（例えば、ＲＳＲＰ）が閾値を超える場合、ＲＵＬキャリアに割り当てられ得る。図４で示されるように、ＲＵＬキャリアのＲＳＲＰは、構成された閾値未満であり得る。したがって、ＷＴＲＵは、ＳＵＬキャリアを選択して、ＴＴＩ２中にＬＣＨ１から（ＳＵＬキャリアの例示的なＴＢＳに従って）バッファされたデータのうち２５６ビットを送信することができる。ＲＵＬキャリアは、本例では、ＴＴＩ２中にＬＣＨ３からの１ｋビットを送信するために利用できないが、それは、例示的なＬＣＰ手順３００に従って、ＷＴＲＵが、（例えば、同じＴＴＩ中に）ＲＵＬおよびＳＵＬキャリア上で同時に送信できないこと、および／またはＬＣＨ１からの６００ビットが、ＬＣＨ３からの１ｋビットに対して優先権を有することのためであることが理解されよう。したがって、ＬＣＨ３からの１ｋビットは、１つまたは複数の後続するＴＴＩ中の送信に向けてバッファされたままであり得る。
【０１３７】
ＴＴＩ３では、３４４ビットが、ＬＣＨ１からバッファされたままであり（例えば、６００ビット引く２５６ビットがＴＴＩ２中に送信された）、２００ビットが、ＬＣＨ２から（例えば、新しく）バッファされることができ、また１ｋビットは、ＬＣＨ３からバッファされたままであり得る（例えば、３ｋビット引く２ｋビットがＴＴＩ１中に送信された）。ＴＴＩ３中、測定されたＲＳＲＰは、事前に構成された閾値未満のままであり得る。ＬＣＰ手順３００に従って、ＬＣＨ２からバッファされた２００ビットは、ＬＣＨ１からバッファされた３４４ビットおよびＬＣＨ３からバッファされた１ｋビットの両方に対して優先権を有することができる。さらに、ＬＣＨ２からバッファされた２００ビットは、ＵＲＬＬＣサービスをサポートすることができ、またＲＵＬおよびＳＵＬキャリアを介する送信用に複製され得るが、それは、送信信頼性および／または遅延を向上させることができる。したがって、ＷＴＲＵは、ＴＴＩ３中にＬＣＨ３からバッファされた２００ビットを送信するためにＲＵＬキャリア（許可１）を、またＴＴＩ４中にＬＣＨ３からバッファされた同じ（例えば、複製された）２００ビットを送信するためにＳＵＬキャリア（許可２）を選択することができる。あるいは、ＷＴＲＵは、ＴＴＩ３中に送信するためにＳＵＬキャリア（許可２）を、ＴＴＩ４中に送信するためにＲＵＬキャリア（許可１）を選択することができる。
【０１３８】
ＴＴＩ５では、３４４ビットが、ＬＣＨ１からバッファされたままであり（例えば、６００ビット引く２５６ビットがＴＴＩ２中に送信された）、１ｋビットがＬＣＨ３からバッファされたままであり得る（例えば、３ｋビット引く２ｋビットがＴＴＩ１中に送信された）。ＴＴＩ３およびＴＴＩ４中のＲＵＬおよびＳＵＬキャリアでの送信の後、ＬＣＨ２からバッファされたままであり得るデータはない。ＴＴＩ５中に、測定されたＲＳＲＰは、事前に構成された閾値を超えるものであり得る。ＬＣＰ手順３００に従って、ＬＣＨ１からバッファされた３４４ビットは、ＬＣＨ３からバッファされた１ｋビットに対して優先権を有することができる。したがって、ＷＴＲＵは、ＲＵＬキャリア（許可１）を選択して、ＴＴＩ５中にＬＣＨ１から３４４ビットを送信することができ、ＬＣＨ３からの１ｋビットは、１つまたは複数の後続するＴＴＩ中の送信用にバッファされたままであり得る。図４で示されるように、ネットワーク（例えば、セル２００）が、ＲＵＬキャリアを介して３４４ビットの受信に成功しない場合、ＷＴＲＵは、ネットワーク（例えば、セル２００）から否定応答（ＮＡＣＫ）を受信することができる。ＷＴＲＵは、ＴＴＩ６など、後続するＴＴＩ中に、ＳＵＬキャリアを介してＬＣＨ１からバッファされた３４４ビットを再送信する表示を（例えば、ＤＣＩを介して）さらに受信することができる。
【０１３９】
ＴＴＩ６では、３４４ビットがＬＨ１からバッファされたままであり（例えば、６００ビット引く２５６ビットがＴＴＩ２中に送信された）、１ｋビットがＬＣＨ３からバッファされたままであり得る（例えば、３ｋビット引く２ｋビットがＴＴ１中に送信された）。ＬＣＰ手順３００に従って、ＬＣＨ１からバッファされた３４４ビットは、ＬＣＨ３からバッファされた１ｋビットに対して優先権を有することができる。さらに、ＷＴＲＵは、ＳＵＬキャリアを介してＴＴＩ５中に最初に送信された３４４ビットを再送信するためのシグナリングを受信しているはずである（例えば、ＤＣＩにおける表示により）。したがって、ＷＴＲＵは、ＳＵＬキャリア（許可２）を選択して、ＴＴＩ６中に、ＬＣＨ１からバッファされた２５６ビットを（ＳＵＬキャリアの例示的なＴＢＳに従って）送信することができ、またＬＣＨ３からの１ｋビットは、１つまたは複数の後続するＴＴＩ中の送信に向けてバッファされたままであり得る。ＴＴＩ６の後に、８８ビットがＬＣＨ１からバッファされたままであり（例えば、３４４ビット引く２５６ビットがＴＴＩ６中に送信された）、またＬＣＨ１、ＬＣＨ２、および／またはＬＣＨ３からバッファされ得る新しいデータがないとすると、１ｋビットがＬＣＨ３からバッファされたままであり得る（例えば、３ｋビット引く２ｋビットがＴＴＩ１中に送信された）。ＷＴＲＵは、ＴＴＩ６の後、ＬＣＰ手順３００に従って、ＬＣＨ１、ＬＣＨ２、および／またはＬＣＨ３からバッファされたデータを処理し続けることができる。
【０１４０】
図５は、ＴＴＩの例示的なシリーズ５００を示しており、その間に、図３に関して述べられたＬＣＰ手順３００に基づいて、１つまたは複数のＬＣＨからのデータが、ＲＵＬおよびＳＵＬキャリアなどのＵＬキャリアを介してＷＴＲＵにより送信され得る。図５で示されるように、ＷＴＲＵは、ＷＴＲＵの機能に基づいて、ＲＵＬおよびＳＵＬキャリアのリソースを（例えば、同じＴＴＩ中に）同時に利用することができる。例えば、ＷＴＲＵは、２つ以上の送信機を含むことができ、かつ同じＴＴＩ中に、ＲＵＬおよびＳＵＬキャリア上で送信するなど、異なる周波数で同時に送信することができる。
【０１４１】
図５で示されるように、シリーズ５００は、ＴＴＩ７、ＴＴＩ８、ＴＴＩ９、ＴＴＩ１０、ＴＴＩ１１およびＴＴＩ１２を含むことができるが、シリーズ５００は、任意の数のＴＴＩを含み得ることが理解されよう。データは、ＵＬ送信に対して、ＬＣＨ１、ＬＣＨ２、およびＬＣＨ３からバッファされ得るが、データは、任意の数のＬＣＨからバッファされ得ることがさらに理解されよう。ＴＴＩ７、ＴＴＩ８、ＴＴＩ９、ＴＴＩ１０、ＴＴＩ１１および／またはＴＴＩ１２中に、データは、ＲＵＬキャリア（許可１）および／またはＳＵＬキャリア（許可２）を介して送信され得る。ＲＵＬおよびＳＵＬキャリアは、２ｋビットおよび２５６ビットのＴＢＳをそれぞれ有することができるが、図５で示されたＲＵＬおよびＳＵＬキャリアのＴＢＳ値は、例示的なものに過ぎない。
【０１４２】
ＴＴＩ７では、ＬＣＨ１またはＬＣＨ２からバッファされ得るデータはないが、３ｋビットが（例えば新しく）ＬＣＨ３からバッファされ得る。ＬＣＰ手順３００に従って、ＬＣＨ３からバッファされた３ｋビット（例えば、ｅＭＢＢに関連するデータ）は、ＲＵＬキャリアを介して送信され得る。したがって、ＷＴＲＵは、ＲＵＬキャリア（許可１）を選択して、ＴＴＩ７中にＬＣＨ３から、バッファされたデータのうちの（ＲＵＬキャリアの例示的なＴＢＳに従って）２ｋビットを送信することができる。
【０１４３】
ＴＴＩ８では、ＬＣＨ２からバッファされ得るデータはないが、６００ビットが、ＬＣＨ１から（例えば、新しく）バッファされ、また１ｋビットがＬＣＨ３からバッファされたままであり得る（例えば、３ｋビット引く２ｋビットがＴＴＩ１中に送信された）。ＬＣＰ手順３００に従って、ＬＣＨ１からバッファされた６００ビットは、ＣＨ３からバッファされた１ｋビットに対して優先権を有することができる。さらに、ＬＣＨ１からの６００ビットは、ＲＵＬキャリアの属性（例えば、ＲＳＲＰ）が閾値を超えている場合、ＲＵＬキャリアに割り当てられ得る。図４で示されるように、ＲＵＬキャリアのＲＳＲＰは、構成された閾値未満であり得る。したがって、ＷＴＲＵは、ＳＵＬキャリアを選択して、ＴＴＩ８中に、ＬＣＨ１から（ＳＵＬキャリアの例示的なＴＢＳに従って）バッファされたデータのうちの２５６ビットを送信することができる。ＷＴＲＵは、ＲＵＬおよびＳＵＬキャリア上で（例えば、同じＴＴＩ中に）同時に送信できるため、ＲＵＬキャリアは、本例では、ＴＴＩ８中にＬＣＨ３からの１ｋビットを送信するのに利用することができる。したがって、ＷＴＲＵはまた、ＴＴＩ８において、ＲＵＬキャリア（許可１）を選択してＬＣＨ３から１ｋビットを送信することができる。
【０１４４】
ＴＴＩ９では、３４４ビットがＬＣＨ１からバッファされたままであり（例えば、６００ビット引く２５６ビットがＴＴＩ８で送信された）、また２００ビットがＬＣＨ２から新しくバッファされ得る。ＴＴＩ８中にＲＵＬキャリア上での送信の後、ＬＣＨ３からバッファされたままであり得るデータはない。ＴＴＩ９中に、測定されたＲＳＲＰは、事前に構成された閾値未満であり得る。ＬＣＰ手順３００に従って、ＬＣＨ２からバッファされた２００ビットは、ＬＣＨ１からバッファされた３４４ビットに対して優先権を有することができる。さらに、ＬＣＨ２からバッファされた２００ビットは、ＵＲＬＬＣサービスをサポートすることができ、またＲＵＬおよびＳＵＬキャリアを介する送信用に複製され得るが、それは、送信信頼性および／または遅延を向上させることができる。したがって、ＷＴＲＵは、ＲＵＬおよびＳＵＬキャリア（許可１および２）を選択して、ＴＴＩ９中にＬＣＨ３からバッファされた２００ビットをそれぞれ送信することができる。
【０１４５】
ＴＴＩ１０では、３４４ビットがＬＣＨ１からバッファされたままであり得る（例えば、６００ビット引く２５６ビットがＴＴＩ８中に送信された）。ＴＴＩ７、ＴＴＩ８、および／またはＴＴＩ９の間の送信の後、ＬＣＨ２またはＬＣＨ３からバッファされたままであり得るデータはない。ＴＴＩ１０中に、測定されたＲＳＲＰは、事前に構成された閾値を超えるものであり得る。したがって、ＷＴＲＵは、ＲＵＬキャリア（許可１）を選択して、ＴＴＩ１０中に、ＬＣＨ１から３４４ビットを送信することができる。図５で示されるように、ネットワーク（例えば、セル２００）が、ＲＵＬキャリアを介して３４４ビットの受信に成功しない場合、ＷＴＲＵは、ネットワーク（例えば、セル２００）からＮＡＣＫを受信することができる。ＷＴＲＵは、ＴＴＩ１１など、後続するＴＴＩ中にＳＵＬキャリアを介してＬＣＨ１からバッファされた３４４ビットを再送信するための表示を（例えば、ＤＣＩを介して）さらに受信することができる。
【０１４６】
ＴＴＩ１１では、３４４ビットが、ＬＣＨ１からバッファされたままであり得る（例えば、６００ビット引く２５６ビットがＴＴＩ２中に送信された）。ＷＴＲＵは、ＳＵＬキャリアを介してＴＴＩ１０中に最初に送信された３４４ビットを再送信するためのシグナリングを（例えば、ＤＣＩにおける表示により）受信しているはずである。したがって、ＷＴＲＵは、ＳＵＬキャリア（許可２）を選択して、ＴＴＩ１１中に（ＳＵＬキャリアの例示的なＴＢＳに従って）ＬＣＨ１からバッファされた２５６ビットを送信することができる。
【０１４７】
ＴＴＩ１２では、８８ビットがＬＣＨ１からバッファされたままであり得る（例えば、３４４ビット引く２５６ビットがＴＴＩ１１中に送信された）。ＴＴＩ１２中で、測定されたＲＳＲＰは、事前に構成された閾値を超えるものであり得る。したがって、ＷＴＲＵは、ＲＵＬキャリア（許可１）を選択して、ＴＴＩ１２中にＬＣＨ１からバッファされた残りの８８ビットを送信することができる。
【０１４８】
ＷＴＲＵは、ＭＡＣ  ＣＥに対する、またはＭＡＣ  ＣＥのサブセットに対する１つまたは複数の（例えば、同様の）制限を構成する制御シグナリング（例えば、ＲＲＣシグナリングなどの制御プレーンシグナリング、またはＭＡＣ  ＣＥによる）を受信することができる。例えば、ＭＡＣ  ＣＥのサブセットは、高優先順位および／または信頼性送信タイプ（例えば、ＵＲＬＬＣ）に関連することができ、かつ／またはビーム管理ＭＡＣ  ＣＥに関連することができる。高優先順ＭＡＣ  ＣＥは、ＲＵＬおよび／またはＳＵＬキャリアなど、ＵＬアクセスのいくつかのタイプに制限され得る。
【０１４９】
ＷＴＲＵは、以下の１つまたは複数のものなど、許可のタイプに対する１つまたは複数の（例えば、同様の）制限を構成する制御シグナリング（例えば、ＲＲＣシグナリングなどの制御プレーンシグナリング、またはＭＡＣ  ＣＥによる）を受信することができる、すなわち、（ｉ）動的な制御シグナリング（例えば、物理ダウンリンク制御チャネル（ＰＤＣＣＨ）上のＤＣＩ）の受信から決定される許可、（ｉｉ）ＷＴＲＵ構成、または構成タイプ（例えば、ＵＬ許可、半恒久的な許可のないタイプ２ＵＬ送信）から決定される許可、（ｉｉｉ）活動化状態（例えば、許可のない送信に対するスケジューリング情報がアクティブ／利用可能であるかどうか）から決定される許可、および／または専用の送信に対する、または競合ベースの送信に対する許可である。許可のいくつかのタイプは、ＲＵＬおよびＳＵＬキャリアなど、ＵＬアクセスのいくつかのタイプに制限され得る。
【０１５０】
ＷＴＲＵは、ＬＣＰ手順３００など、ＬＣＰ手順の１つまたは複数の部分に対して適用可能である１つまたは複数のＬＣＨに対して１つまたは複数の（例えば、同様の）制限を構成する制御シグナリング（例えば、ＲＲＣシグナリングなどの制御プレーンシグナリング、またはＭＡＣ  ＣＥによる）を受信することができる。例えば、制御シグナリングは、ＬＣＰ手順のステップ１および２が、リソースが各ＬＣＨの変数Ｂｊを満たすように割り振られ得る場合に限って適用可能であることを示すことができ、各ＴＴＩは、ＬＣＨの優先順位付けられたビットレート（ＰＢＲ）によって設定され、かつ更新される。ＳＵＬキャリアに対して示される許可は、例えば、すべてのＬＣＨに働くことによりＬＣＰ手順の異なる部分を実施することができる（ステップ３において）。これは、例えば、スループットを向上させるために使用され得る。
【０１５１】
ＷＴＲＵは、１つまたは複数のＵＬ許可で送信されるようにデータを選択し、かつ処理するように構成され得る。ＷＴＲＵは、ＷＴＲＵが、時間的に少なくとも部分的に重複するリソースを用いて送信するために、例えば、１つはＲＵＬキャリアに対して、また１つはＳＵＬキャリアに対してなど、利用可能な複数の受信された許可を有すると決定することができる。ＷＴＲＵは、例えば、ＷＴＲＵが複数のＵＬ上で同時のＰＵＳＣＨ送信が可能であるとき、ＲＵＬおよび／ＳＵＬキャリア上で各適用可能な送信に対して、ＭＡＣ  ＰＤＵを組み立てることができる（例えば、ＬＣＰ手順３００を用いて）。ＭＡＣエンティティは、例えば、ＬＣＨが一定のＵＬ上で優先順位付けられる、または制限されるように構成され得るとき、高い優先順位（例えば、第１の）のＬＣＨに適したＵＬ上の許可に対してＬＣＰ手順（例えば、ＬＣＰ手順３００）を処理することができる。ＭＡＣエンティティは、（例えば、さらに、または代替的に）全体のデータレートを最大化する目的で、１つまたは複数の許可を処理することができる。
【０１５２】
ＷＴＲＵは、ＲＵＬおよび／またはＳＵＬキャリア上で利用可能な許可の選択を優先順序付けることができる（例えば、ＬＣＰ手順３００により）。ＷＴＲＵは、例えば、ＲＵＬおよびＳＵＬキャリア上で同時のＰＵＳＣＨ送信ができる、またはできないとき、選択を優先順位付けすることができる。優先順位付けは、例えば、１つまたは複数の以下のものを考慮することができる、すなわち、（ｉ）ＲＵＬおよび／またはＳＵＬキャリアに対して推定される経路損失（例えば、ＲＵＬキャリアに対する経路損失が、構成された閾値未満であり得るとき、ＳＵＬキャリアへの切換えがトリガされ得る）、（ｉｉ）ＲＵＬキャリアおよび／またはＳＵＬキャリアのＰＨ（例えば、ＷＴＲＵは、ＲＵＬキャリアのＰＨが、０ｄＢなど、閾値未満であり得るとき、ＳＵＬキャリアを使用することができる）、（ｉｉｉ）ＲＵＬキャリアのＴＢＳに対するＳＵＬキャリアのＴＢＳ、および／または（ｉｖ）バッファされたデータおよび関連付けられた優先順位を備える論理チャネル（例えば、ＬＣＰ手順３００など、ＬＣＰ手順に基づく何らかの可能なチャネル選択制限を含む）である。
【０１５３】
ＲＵＬキャリアのＴＢＳに対するＳＵＬキャリアのＴＢＳに基づいて、利用可能な許可を優先順位付ける例は、例えば、以下のものを含むことができる、すなわち、（ｉ）ＭＡＣ多重化およびアセンブリエンティティにより生成されるＭＡＣ  ＰＤＵが、セグメント化することなく、ＲＵＬキャリアまたはＳＵＬキャリアのいずれかに適合できるとき、ＲＵＬキャリアまたはＳＵＬキャリア上のＵＬ許可が選択され得る、（ｉｉ）ＲＵＬキャリアまたはＳＵＬキャリア上のＵＬ許可は、（例えば、現在の）ＴＴＩにおいてＷＴＲＵにより送られ得るデータの量を最大化するように選択され得る、および／または（ｉｉｉ）ＲＵＬキャリアまたはＳＵＬキャリア上のＵＬ許可は、（例えば、現在の）ＴＴＩにおいてＷＴＲＵにより送られ得る高優先順位データの量を最大化するように選択され得る。
【０１５４】
バッファされたデータおよび関連付けられた優先順位を有するＬＣＨの例では、いくつかのＬＣＨは、選択制限を備えて構成され得る。ＭＡＣエンティティは、例えば、より高い優先順位のＬＣＨに関連付けられ得る、または（例えば、現在の）ＴＴＩにおいて、ＷＴＲＵにより送られ得るデータの量を最大化できる１つまたは複数のＵＬ許可を選択することができる。
【０１５５】
ＭＡＣエンティティは、例えば、構成されたＵＬを備える（例えば、各）サービングセルに対してＨＡＲＱエンティティを含むことができ、かつ（例えば、各）サービングセルに対して並列なＨＡＲＱプロセスを維持することができる。
【０１５６】
ＨＡＲＱは、例えば、ＳＵＬキャリアが、ＷＴＲＵにおいて構成され得る場合、複数の（例えば、２つの）異なる方法でモデル化され得る。
【０１５７】
上記のように、ＲＵＬおよび／またはＳＵＬキャリアは、同じサービングセルの一部とすることができる。ＲＵＬおよび／またはＳＵＬキャリアは、例えば、同じＨＡＲＱエンティティを共有することができる。ＨＡＲＱエンティティ（例えば、１つの）内のＨＡＲＱプロセスの共通のセットが、ＲＵＬおよび／またはＳＵＬキャリアに使用され得る。ｇＮＢは、ＲＵＬおよび／またはＳＵＬキャリアを用いて識別され得るＨＡＲＱプロセスのサブセットを構成することができる。例えば、ＲＵＬキャリアとＳＵＬキャリアとの間で切換えがあり得るとき、クロスアップリンク（ｃｒｏｓｓ−ｕｐｌｉｎｋ）再送信が可能であり得る。
【０１５８】
ＲＵＬおよびＳＵＬキャリアは、別々のキャリアと考えられ、別々のＨＡＲＱエンティティを有することができる。ＲＵＬおよびＳＵＬキャリアは、ＨＡＲＱタイムライン値（例えば、ｍａｘＨＡＲＱ−Ｔｘ、ｍａｘＨＡＲＱ−Ｍｓｇ３Ｔｘ）など、（例えば、どちらのモデル化例においても）別個のＨＡＲＱ構成を有することができる。
【０１５９】
単一の、または別々のＨＡＲＱプロセスは、例えば、ＲＵＬキャリアとＳＵＬキャリアとの間を（例えば、高速に）切り換えることのできるＷＴＲＵに対して、複数のＵＬ間で使用され得る。例では、ＷＴＲＵは、ＲＵＬおよびＳＵＬキャリア上で、複数の（例えば、２つの）構成された許可（例えば、ＳＰＳリソース）を用いて構成され得る。適用可能な構成された許可のリソースは、例えば、切換えイベントがトリガされ得るときに使用され得る。複数のＵＬ間のＴＢ再送信は、例えば、（例えば、単一の）ＨＡＲＱプロセスが、ＲＵＬおよびＳＵＬキャリアなど、複数のＵＬキャリアにわたるＵＬ送信に使用され得るとき可能になり得る。
【０１６０】
一定数のＨＡＲＱ再送信を備える複数のＵＬで構成されたＷＴＲＵは、異なるＷＴＲＵ挙動を生ずる可能性がある。例では、ＳＵＬキャリア上の再送信は、例えば、ＲＵＬキャリアを用いた一定の（例えば、閾値）数のＵＬ  ＨＡＲＱ送信の後に行うことができる。さらなる、または代替的な例では、例えば、ＷＴＲＵが、（例えば、ＳＵＬキャリア上のＵＬ−ＳＣＨリソースを使用せずに）ＲＵＬキャリアを用いて閾値数のＵＬ  ＨＡＲＱ送信に達したとき、ＳＲがトリガされて、ＳＵＬキャリア上のＵＬ−ＳＣＨリソースを要求することができる。
【０１６１】
ＷＴＲＵは、例えば、ＤＬ送信に対するＨＡＲＱフィードバック報告に対して、ＲＵＬおよび／またはＳＵＬキャリアを使用することができる。例では、ＷＴＲＵは、ＤＬおよび／またはＵＬ測定に基づいて、ＲＵＬおよび／またはＳＵＬキャリアを選択することができる。ＳＵＬキャリアは（例えば、無関係に）、使用され得る、またはＲＵＬキャリアとＳＵＬキャリアとの間の選択は、例えば、ＲＵＬおよびＳＵＬがアクティブである（例えば、利用可能である）とき、ＤＬ経路損失測定に基づくことができる。ＷＴＲＵは、半静的構成に、またはネットワーク（例えば、セル２００）からの動的な表示に基づいて、一定のＵＬもしくはＢＷＰでフィードバックを報告するように選択することができる。
【０１６２】
ＷＴＲＵは、例えば、ＷＴＲＵがＲＵＬキャリア上でフィードバックを送るのを成功させないおそれのある伝播条件の変化に起因して、ＳＵＬキャリアを使用してｇＮＢにフィードバックを送ることができる。例では、ＷＴＲＵは、（例えば、自律的に）ＳＵＬキャリア上のＰＵＣＣＨに切り換えることができ、またはそのようにする表示をｇＮＢにより受信することができる。例えば、ｇＮＢが、ＷＴＲＵからＲＵＬキャリア上で予測されるフィードバックを（例えば、適時に）受信できなかったとき、ｇＮＢは、ＳＵＬキャリア上のＰＵＣＣＨに切り換えるようにする表示をＷＴＲＵに送ることができる。フィードバックは、いくつかのＤＬ  ＴＢに対して集約され得る、または集約されないこともあり得る。
【０１６３】
さらなる、または代替的な例では、ＷＴＲＵは、ＲＵＬキャリア上でＨＡＲＱフィードバックを送信することができる。ＷＴＲＵは、ＨＡＲＱ肯定応答（ＡＣＫ）値を、例えば、ＲＵＬキャリア上で値を送信したときに記憶することができる。ＷＴＲＵは、例えば、ＳＵＬキャリア上で複数の（例えば、前に送信された）ＨＡＲＱ−ＡＣＫ値を送信するようにポーリングされ得る。ＷＴＲＵは、例えば、タイマが終了すると、ＳＵＬキャリア上の値に対してポーリングされると、かつ／またはＴＢが再送信されると、記憶された値を除去することができる。
【０１６４】
ＷＴＲＵは、パケット複製および経路指定を使用することができる。ＷＴＲＵは、ＲＵＬおよびＳＵＬキャリアなど、所与のセルに対して１つまたは複数のＵＬキャリアを用いて構成され得る。ＷＴＲＵは、複数のＵＬキャリアが、ＵＬ送信に対して、例えば、構成され、活動化され、またはスケジューリング情報に基づいて利用可能であり得ると決定することができる。ＷＴＲＵは、複数のＵＬキャリアが同時にアクティブであり得ると決定することができる。ＷＴＲＵは、ＷＴＲＵが、複数のＵＬキャリアが同時に活動化されると決定したとき、パケット複製を活動化するように構成され得る。
【０１６５】
例えば、ＢＷＰがパケット複製に対して、かつ／またはネットワーク（例えば、セル２００）から活動化表示を受信した後に構成されているかなど、ＷＴＲＵが複数のＢＷＰが同時に活動化されると決定したとき、ＷＴＲＵは、パケット複製を活動化するように構成され得る。
【０１６６】
ＷＴＲＵは、（例えば、ロバストな）ハンドオーバに向けてパケット複製を活動化することができる。例えば、ＷＴＲＵは、ハンドオーバ中に、ターゲットおよびソースセルに、複製ＰＤＵを送信するように構成され得る。例では、ＷＴＲＵは、ソースセルのＳＵＬキャリア、およびターゲットセルのＲＵＬキャリアを用いて、複製ＰＤＵを送信することができる。ＷＴＲＵは、ソースセルのＲＵＬキャリア、およびターゲットセルのＳＵＬキャリアを用いて、複製ＰＤＵを送信することができる。パケット複製の活動化は、ハンドオーバコマンドのコンテンツに依存することができる。
【０１６７】
ＷＴＲＵは、測定によって決定される無線（例えば、キャリア）状態など、無線システムの１つまたは複数の属性に基づいて、複製が必要であるか、それとも不要であるかを決定することができる。例えば、ＷＴＲＵが、所与のセルにおいて、ＲＵＬキャリアおよびＳＵＬキャリアの両方で構成されるとき、ＷＴＲＵは、測定されたセル品質（例えば、ＲＵＬおよび／またはＳＵＬキャリアのＲＳＲＰ）が、事前定義の閾値未満である場合（例えば、その場合に限って）、複製を活動化することができる。
【０１６８】
ＷＴＲＵは、例えば、１つまたは複数の論理チャネルに関連付けられた１つまたは複数のＰＤＵに対して、ＰＤＣＰ複製を実施するように構成され得る。ＷＴＲＵは、ＰＤＣＰにおいて複製を活動化することができる。例えば、ＷＴＲＵは、Ｌ１／ＰＤＣＣＨ、Ｌ２ＭＡＣ  ＣＥ、またはＲＲＣエンティティなどによる、制御シグナリングの受信から、所与のセル（例えば、セル２００）に対して、複数のＵＬキャリア（例えば、ＲＵＬおよびＳＵＬキャリア）が活動化されると決定することができる。ＷＴＲＵは、半静的、動的な活動化シグナリング、またはその両方の組合せに基づいて、複製を決定することができる。
【０１６９】
ＷＴＲＵがパケット複製を実施するとき、ＷＴＲＵは、（ｉ）１つまたは複数の特定の無線ベアラに対してＰＤＣＰデータＰＤＵを複製する（例えば、無線ベアラは、ネットワークにより動的に示され得る、半静的に構成され得る、またはサービスもしくはＱｏＳ要件に基づいて静的に構成され得る）、（ｉｉ）ＳＲＢを複製する、（ｉｉｉ）特定のメッセージ（例えば、ビーム管理目的のものを含む測定レポート）を複製する、および／または（ｉｖ）ＰＤＣＰ  ＳＤＵ破棄タイマが特定の閾値未満であるＳＤＵを複製することができる。ＷＴＲＵは、ネットワーク（例えば、セル２００）を介してＷＴＲＵにより受信された（例えば、ＤＣＩ、ＭＡＣ  ＣＥ、および／またはＲＲＣシグナリングによる）複製活動化表示の構成および／または受信に基づいて、（ｉ）〜（ｉｖ）のいずれかを行うように決定することができる。
【０１７０】
ＷＴＲＵは、ＰＤＣＰ  ＳＲの受信に基づいて、１つまたは複数のパケットを複製するように決定することができる（例えば、ＷＴＲＵは、受信されたＰＤＣＰ  ＳＲに応じて、特定のＰＤＵに対して複製を適用することができる）。ＷＴＲＵは、いくつかのＰＤＵがＰＤＣＰ  ＳＲから再送信され得ると決定することができ、ＷＴＲＵは、ＷＴＲＵが、このようなＰＤＵに対して複製を実施すべきであると決定することができる。ＷＴＲＵは、累積的な再送信を開始することができ（例えば、切換えがＭＡＣリセットを含意する場合）、（例えば、すべての）累積的に再送信されるＰＤＵに対して複製を適用することができる。
【０１７１】
ＷＴＲＵは、複数のＵＬキャリア（例えば、ＲＵＬおよびＳＵＬキャリア）およびＢＷＰ上で同時に送信できないことがあり得る。これは、以下の属性うちの１つまたは複数のものに起因し得る、すなわち、（ｉ）受信された構成シグナリング、（ｉｉ）ＷＴＲＵ機能、ならびに／または（ｉｉｉ）無線状態および測定である。したがって、ＵＬキャリアおよび／またはＢＷＰ間を切り換えることは、前述の属性に依存し得る。
【０１７２】
ＰＤＣＰ経路指定は、ＷＴＲＵがＰＤＣＰ状態レポート（ＳＲ）を受信することに依存することができる。例えば、ＷＴＲＵは、受信されたＰＤＣＰ  ＳＲに基づいて、特定のＰＤＵに対してＵＬまたはＢＷＰを選択することができる（例えば、ＷＴＲＵは、いくつかのＰＤＵが、ＰＤＣＰ  ＳＲから再送信され得ると決定し、このようなＰＤＵに対して同じ、または異なるＵＬもしくはＢＷＰを選択することができる）。ＷＴＲＵは、累積的再送信を開始することができ（例えば、切換えがＭＡＣリセットを含意する場合）、すべての累積的に再送信されるＰＤＵに対して同じ、または異なるＵＬもしくはＢＷＰを選択することができる。
【０１７３】
ＷＴＲＵは、ＨＡＲＱベースの複製および経路指定を使用することができる。ＲＵＬおよびＳＵＬキャリアを同時に活動化することは、複製を用いて構成され得る一定のＨＡＲＱに対してＨＡＲＱベースの複製を活動化することができる。ＨＡＲＱは、ＲＵＬおよびＳＵＬキャリア上でＴＢの複製を、例えば、同時に、または連続して送信することができる。ＨＡＲＱは、複数のＢＷＰを活動化することにより、ＲＵＬおよびＳＵＬキャリア上でＴＢの複製を送信することができる。複製は、半静的もしくは動的な活動化シグナリング、またはその両方の組合せとすることができる。
【０１７４】
ＷＴＲＵは、ＲＵＬキャリアに対する許可と共にＳＵＬキャリアに対する許可を受信することに基づいて、同時のＨＡＲＱベースの複製を使用することを決定することができる。ＳＵＬキャリアに対する許可は、事前に構成され得る。構成された許可のタイミングは、ＲＵＬキャリアのための許可のそれに対するものとすることができる。
【０１７５】
ＷＴＲＵは、再送信に関して送られたＲＶに基づいて、複製を使用すべきかどうかを決定することができる。例えば、ＷＴＲＵは、ＲＶが一定数を超える場合、ＨＡＲＱベースの複製を活動化することができる。
【０１７６】
ＷＴＲＵは、異なるＢＷＰまたはＵＬキャリアのニューメロロジ、または物理レイヤ特性に基づいて、複製を使用すべきかどうかを決定することができる。例えば、ＨＡＲＱベースの複製は、ＢＷＰまたはＵＬキャリアのニューメロロジが同じである場合、活動化され得る。
【０１７７】
ＷＴＲＵは、初期の送信に使用されたＢＷＰのものとは異なるニューメロロジのＢＷＰに基づいて、複数のＢＷＰに対して複製を活動化するように決定することができる。例えば、再送信されるＴＢの場合、ＴＢは、例えば、同じＨＡＲＱに対して更新されたＲＶを用いる再送信として、または別のＨＡＲＱに対する新しい送信として、初期送信が行われたＢＷＰ上で再送信され、また同じＴＢが、新しく活動化されたＢＷＰ上で送信され得る。ＷＴＲＵは、異なるニューメロロジまたはサブキャリア間隔を有することのできる１つまたは複数のＳＵＬキャリアの活動化により、複製の活動化を決定することができる。
【０１７８】
ＷＴＲＵは、同じスロットのシンボルを介して、異なるスロットのシンボルを介して、または異なるＴＴＩのシンボルなど時間領域において、送信を相互交錯させる（ｓｔａｇｇｅｒｉｎｇ）ことにより、所与のＴＢの複製を送信することができる。これは、例えば、ＷＴＲＵの機能、１つまたは複数の構成態様、および／または含まれるニューメロロジに基づいて、同時送信を実施できないＷＴＲＵの場合に有用であり得る。
【０１７９】
ＷＴＲＵは、ＨＡＲＱ経路指定を使用することができる。ＷＴＲＵは、ＲＵＬおよびＳＵＬキャリア上で、または複数のＢＷＰ上で同時に送信できないこともあり得る。ＵＬキャリアまたはＢＷＰ間を切り換えることは、ＷＴＲＵの機能などの属性に依存し得る。
【０１８０】
（例えば、新しい）ＴＢを送信するために、ネットワークは、どのＵＬキャリアまたはＢＷＰにその許可が属しているかを示すスケジューリング／ＨＡＲＱ情報の一部を提供することができる。
【０１８１】
再送信の場合、ＷＴＲＵが、異なるニューメロロジで再送信することができず、かつ初期送信のものとは異なるニューメロロジのＳＵＬキャリア、またはＢＷＰが、ＴＢに対するＡＣＫを受信する前にアクティブになった場合、ＷＴＲＵは、（ｉ）ＴＢに対するＡＣＫが受信されるまで、初期送信が行われたＵＬキャリアまたはＢＷＰに留まる、（ｉｉ）ＷＴＲＵが初期送信に使用されたＵＬキャリアまたはＢＷＰに対する許可を有するときなど、ＴＢに対するＡＣＫが受信されるまで、または関連するＴＢの再送信が成功裏に完了するまで、初期送信が行われたＵＬキャリアまたはＢＷＰ上に留まる、および／または（ｉｉｉ）ＳＵＬキャリアまたは新しいＢＷＰに切り換える（例えば、ＮＡＣＫが受信された場合、ＷＴＲＵは、初期送信のニューメロロジを区別するＳＲ構成を用いてＳＲを送ることができる）ことができる。
【０１８２】
再送信に関して、ＲＳＲＰが構成された閾値未満であり、構成された数の再送信または構成されたＲＶ数に達した場合、ＷＴＲＵは、再送信に対する許可を取得するために、ＳＵＬキャリアを用いてランダムアクセスを実施することができる。ＷＴＲＵは、例えば、サービス、再送信されるデータのＱｏＳ、または含まれるＬＣＨの優先順位に応じて、適切な構成を用いてＳＲを送り、ＳＵＬキャリアに対する許可を取得して再送信を実施することができる。
【０１８３】
ＷＴＲＵは、無線システムにおいて、複数のＵＬキャリア（例えば、ＲＵＬおよびＳＵＬキャリア）を介して送信するように構成され得る。このようなＵＬキャリアの活動化、選択、開始、および／または切換えは、例えば、静的、半静的、動的、事前に構成される、再構成ベース、ネットワークで制御される、かつ／またはＷＴＲＵで開始され得る。ＷＴＲＵは、例えば、ＳＵＬキャリアを活動化させる、かつ／またはＲＵＬキャリアとＳＵＬキャリアとの間を切り換えると、ＨＡＲＱ処理に向けて構成され得る。ＷＴＲＵは、ＲＵＬおよび／またはＳＵＬキャリアに対するＵＬ−ＳＣＨ許可に対するＬＣＰ手順を用いて構成され得る。ＷＴＲＵは、例えば、シグナリング無線ベアラ（ＳＲＢ）、無線ベアラ、特定のメッセージ、および／またはＳＤＵに対してなど、ＰＤＣＰ複製、ならびに／またはＲＵＬおよび／またはＳＵＬキャリアに向けた経路指定に対して構成され得る。ＷＴＲＵは、ＨＡＲＱベースの複製、および／またはＵＬキャリアに対する複数の許可を用いて構成され得る。ＳＵＬキャリアに対する許可のタイミングは、例えば、ＲＵＬキャリアに対する許可のタイミングに対するものとすることができる。
【０１８４】
本明細書で述べられたプロセスおよび手段は、任意の組合せで適用することができ、他の無線技術に、また他のサービスに対して適用することができる。
【０１８５】
ＷＴＲＵは、物理デバイスの識別、またはサブスクリプションに関連する識別などユーザの識別を参照することができ、例えば、ＭＳＩＳＤＮ、ＳＩＰ  ＵＲＩなどである。ＷＴＲＵは、例えば、アプリケーションごとに使用され得るユーザ名など、アプリケーションベースの識別を参照することができる。
【０１８６】
本明細書で述べられるコンピューティングシステムのそれぞれは、本明細書で述べられたパラメータを決定すること、および述べられた機能を達成するためにエンティティ（例えば、ＷＴＲＵおよびネットワーク）の間でメッセージを送り、かつ受信することを含む、本明細書で述べられた機能を達成するための実行可能な命令またはハードウェアで構成されたメモリを有する１つまたは複数のコンピュータプロセッサを有することができる。
【０１８７】
上記で述べられたプロセスは、コンピュータおよび／またはプロセッサで実行するためのコンピュータ可読媒体に組み込まれたコンピュータプログラム、ソフトウェア、および／またはファームウェアで実施され得る。コンピュータ可読媒体の例は、これだけに限らないが、電子信号（有線および／または無線接続を介して送信される）、および／またはコンピュータ可読記憶媒体を含む。コンピュータ可読記憶媒体の例は、これだけに限らないが、読出し専用メモリ（ＲＯＭ）、ランダムアクセスメモリ（ＲＡＭ）、レジスタ、キャッシュメモリ、半導体メモリデバイス、これだけに限らないが、内蔵ハードディスクおよび取外し可能ディスクなどの磁気媒体、光磁気媒体、ならびに／またはＣＤ−ＲＯＭディスクおよび／もしくはデジタル多用途ディスク（ＤＶＤ）などの光媒体を含む。ソフトウェアに関連付けられたプロセッサは、ＷＴＲＵ、端末、基地局、ＲＮＣ、および／または任意のホストコンピュータで使用する無線周波数送受信機を実施するために使用され得る。
【図１Ａ】
2021510018.tif 000003
【図１Ｂ】
2021510018.tif 000004
【図１Ｃ】
2021510018.tif 000005
【図１Ｄ】
2021510018.tif 000006
【図２】
2021510018.tif 000007
【図３】
2021510018.tif 000008
【図４】
2021510018.tif 000009
【図５】
2021510018.tif 000010
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
第１のアップリンク（ＵＬ）送信許可が第２のＵＬ送信許可と時間領域で重複していると決定し、
論理チャネル優先順位付け（ＬＣＰ）制限に少なくとも基づいて、前記第１のＵＬ送信許可にマッピングされた第１の論理チャネルおよび前記第２のＵＬ送信許可にマッピングされた第２の論理チャネルを識別し、前記第１の論理チャネルは前記第１のＵＬ送信許可にマッピングされた１つ以上の論理チャネルの第１のセットの内で最も高い第１の優先順位に関連付けられており、前記第２の論理チャネルは前記第２のＵＬ送信許可にマッピングされた１つ以上の論理チャネルの第２のセットのうちで最も高い第２の優先順位に関連付けられており、
前記第１の優先順位および前記第２の優先順位に基づいて、前記第１のＵＬ送信許可または前記第２のＵＬ送信許可を優先順位付けし、前記第１の優先順位が前記第２の優先順位よりも高い場合、前記第１のＵＬ送信許可が前記第２のＵＬ送信許可の上に優先順位付けされ、前記第２の優先順位が前記第１の優先順位よりも高い場合、前記第２のＵＬ送信許可が前記第１のＵＬ送信許可の上に優先順位付けされる、
ように構成されたプロセッサを備えた、ＷＴＲＵ。
【請求項２】
前記第１のＵＬ送信許可を前記第２のＵＬ送信許可の上に優先順位付けするように構成された前記プロセッサは、前記第１のＵＬ送信許可が前記第２のＵＬ送信許可と重複している時間間隔の間に前記第１のＵＬ送信許可を使用する前記第１の論理チャネルに関連付けられた送信を行うように構成された前記プロセッサを含み、前記第２のＵＬ送信許可を前記第１のＵＬ送信許可の上に優先順位付けするように構成された前記プロセッサは、前記第１のＵＬ送信許可が前記第２のＵＬ送信許可と重複している前記時間間隔の間に前記第２のＵＬ送信許可を使用する前記第２の論理チャネルに関連付けられた送信を行うように構成された前記プロセッサを含む、請求項１に記載のＷＴＲＵ。
【請求項３】
前記第１のＵＬ送信許可および前記第２のＵＬ送信許可の少なくとも１つは、上位レイヤシグナリングを介して受信される、請求項１に記載のＷＴＲＵ。
【請求項４】
前記第１のＵＬ送信許可および前記第２のＵＬ送信許可の少なくとも１つは、ダウンリンク制御情報を介して受信される、請求項１に記載のＷＴＲＵ。
【請求項５】
前記ＬＣＰ制限は、上位レイヤシグナリングを介して前記ＷＴＲＵのために構成される、請求項１に記載のＷＴＲＵ。
【請求項６】
前記第１のＵＬ送信許可は第１のＵＬ送信リソースに関連付けられ、前記第２のＵＬ送信許可は第２のＵＬ送信リソースに関連付けられ、前記第１のＵＬ送信リソースおよび前記第２のＵＬ送信リソースは前記時間領域において重複する、請求項１に記載のＷＴＲＵ。
【請求項７】
前記第１のＵＬ送信リソースおよび前記第２のＵＬ送信リソースは同一の送信時間間隔に関連付けられている、請求項６に記載のＷＴＲＵ。
【請求項８】
前記プロセッサは、メディアアクセス制御（ＭＡＣ）エンティティを介して前記第１のＵＬ送信許可または前記第２のＵＬ送信許可を優先順位付けするように構成されている、請求項１に記載のＷＴＲＵ。
【請求項９】
前記プロセッサは、前記第１の論理チャネルおよび前記第２の論理チャネルでそれぞれ送信されるデータがあるという決定にさらに基づいて、前記第１のＵＬ送信許可または前記第２のＵＬ送信許可を優先順位付けするようにさらに構成されている、請求項１に記載のＷＴＲＵ。
【請求項１０】
無線送受信ユニット（ＷＴＲＵ）によって実行されるであって、
第１のアップリンク（ＵＬ）送信許可が第２のＵＬ送信許可と時間領域で重複していると決定することと、
論理チャネル優先順位付け（ＬＣＰ）制限に少なくとも基づいて、前記第１のＵＬ送信許可にマッピングされた第１の論理チャネルおよび前記第２のＵＬ送信許可にマッピングされた第２の論理チャネルを識別することであって、前記第１の論理チャネルは前記第１のＵＬ送信許可にマッピングされた１つ以上の論理チャネルの第１のセットの内で最も高い第１の優先順位に関連付けられていて、前記第２の論理チャネルは前記第２のＵＬ送信許可にマッピングされた１つ以上の論理チャネルの第２のセットのうちで最も高い第２の優先順位に関連付けられている、ことと、
前記第１の優先順位および前記第２の優先順位に基づいて、前記第１のＵＬ送信許可または前記第２のＵＬ送信許可を優先順位付けすることであって、前記第１の優先順位が前記第２の優先順位よりも高い場合、前記第１のＵＬ送信許可が前記第２のＵＬ送信許可の上に優先順位付けされ、前記第２の優先順位が前記第１の優先順位よりも高い場合、前記第２のＵＬ送信許可が前記第１のＵＬ送信許可の上に優先順位付けされる、こと、
を含む、方法。
【請求項１１】
前記第１のＵＬ送信許可を前記第２のＵＬ送信許可の上に優先順位付けすることは、前記第１のＵＬ送信許可が前記第２のＵＬ送信許可と重複している時間間隔の間に前記第１のＵＬ送信許可を使用する前記第１の論理チャネルに関連付けられた送信を行うことを含み、前記第２のＵＬ送信許可を前記第１のＵＬ送信許可の上に優先順位付けすることは、前記第１のＵＬ送信許可が前記第２のＵＬ送信許可と重複している前記時間間隔の間に前記第２のＵＬ送信許可を使用する前記第２の論理チャネルに関連付けられた送信を行うことを含む、請求項１０に記載の方法。
【請求項１２】
前記第１のＵＬ送信許可および前記第２のＵＬ送信許可の少なくとも１つは、上位レイヤシグナリングを介して受信される、請求項１０に記載の方法。
【請求項１３】
前記第１のＵＬ送信許可および前記第２のＵＬ送信許可の少なくとも１つは、ダウンリンク制御情報を介して受信される、請求項１０に記載の方法。
【請求項１４】
前記第１のＵＬ送信許可は第１のＵＬ送信リソースに関連付けられ、前記第２のＵＬ送信許可は第２のＵＬ送信リソースに関連付けられ、前記第１のＵＬ送信リソースおよび前記第２のＵＬ送信リソースは前記時間領域において重複する、請求項１０に記載の方法。
【請求項１５】
前記第１のＵＬ送信許可または前記第２のＵＬ送信許可の優先順位付けは、前記第１の論理チャネルおよび前記第２の論理チャネルでそれぞれ送信されるデータがあるという決定にさらに基づく、請求項１０に記載の方法。
【国際調査報告】
2021510018.tif 000011
2021510018.tif 000012
2021510018.tif 000013